(57)【特許請求の範囲】
【請求項１】
中枠に前後に開口するよう形成された遊技盤保持部に遊技盤が着脱可能に配設され、該遊技盤の裏側に設けた設置領域に各種図柄を表示可能な図柄表示装置が着脱可能に配設されると共に、該遊技盤に形成した可視表示部を介して、図柄表示装置の表示面を遊技盤の前側から視認し得るよう構成され、前記中枠の裏側上部に、遊技盤保持部に遊技盤が配設された状態で前記図柄表示装置の上側に位置するように遊技球を貯留する球タンクが配設された遊技機において、
前記図柄表示装置に設けられ、左右の一方側面から側方へ突出する係止突部と、
前記遊技盤の裏側に設けられて前記設置領域に配設された図柄表示装置と球タンクとの間に位置し、該遊技盤の裏側に露出するコネクタ受部と、
前記遊技盤の裏側における前記設置領域の側部に設けられて後方へ突出し、前記可視表示部側に開口して前記係止突部を挿脱可能で、該係止突部を挿入した状態で遊技盤の裏側に当接する方向への図柄表示装置の回動を許容する差込み口が形成された差込み受部と、
前記遊技盤の裏側に設けられ、前記差込み受部の差込み口に前記係止突部を挿入した前記図柄表示装置の前面を遊技盤の裏側に当接させた状態で、該図柄表示装置の移動を規制して当該図柄表示装置を前記設置領域に保持する移動規制手段と、
前記遊技盤の裏側において前記コネクタ受部の前記図柄表示装置に対向する側に設けられて該コネクタ受部より後方まで突出し、前記図柄表示装置の設置領域を区画する保護壁と、
前記遊技盤の裏側に設けられて前記保護壁より前記設置領域の外側に位置し、遊技盤を遊技盤保持部に配設した状態で、前記コネクタ受部に接続する配線を、該設置領域と球タンクとの間において前記差込み口に対する係止突部の挿入方向に延在するよう保持する配線保持部とが設けられる
ことを特徴とする遊技機。
【請求項２】
前記コネクタ受部としての第１のコネクタ受部および第２のコネクタ受部が、前記差込み口に対する係止突部の挿入方向に離間して同一水平位置に位置し、
前記遊技盤の上方位置に配設された演出用可動装置の駆動手段が、前記設置領域の上外方において前記第１のコネクタ受部と前記第２のコネクタ受部との間に配置され、
前記第１のコネクタ受部と第２のコネクタ受部とを接続する配線を、前記設置領域の上外方において前記駆動手段の後方を通って延在する状態で保持する保持部材が設けられた請求項１記載の遊技機。
【請求項３】
前記遊技盤は、
前記可視表示部の上方に配設され、前記コネクタ受部としての第１のコネクタ受部を有する第１の電気部品と、
前記差込み受部の形成側に配設され、前記第１のコネクタ受部と同一水平位置に前記コネクタ受部としての第２のコネクタ受部を有すると共に、前記設置領域の側外方に前記遊技盤の裏側に露出する第３のコネクタ受部を有する第２の電気部品と、
前記可視表示部の下方に配設され、前記設置領域の下外方に遊技盤の裏側に露出する第４のコネクタ受部を有し、前記第１および第２の電気部品を制御する制御装置が接続される中継基板と、
前記差込み受部の形成側において前記設置領域の外側方に設けられ、配線を上下方向に延在するよう保持する第２の配線保持部とを備え、
前記第１のコネクタ受部および第２のコネクタ受部を接続する配線が、前記配線保持部により前記設置領域の上外方において前記差込み口に対する係止突部の挿入方向に延在するよう保持され、
前記第３のコネクタ受部および第４のコネクタ受部を接続する配線が、前記第２の配線保持部により前記設置領域の外側方において上下方向に延在するよう保持される請求項１または２記載の遊技機。
【発明の詳細な説明】
【技術分野】
【０００１】
本発明は、遊技盤の裏側に配設された図柄表示装置を、遊技盤に形成した可視表示部を介して前側から視認し得るよう構成された遊技機に関するものである。
【背景技術】
【０００２】
例えば遊技機の代表例の一つであるパチンコ機は、機内にセットされる遊技盤の盤面にパチンコ球が打ち出される遊技領域が画成されて、該遊技盤における遊技領域の裏側に、各種図柄を変動表示して図柄変動演出を行なう液晶パネルが用いられた図柄表示装置が配設されると共に、該遊技盤に形成した開口部等を介して図柄表示装置の表示面を前側から視認し得るよう構成される。そして、この種のパチンコ機では、前記遊技盤の前面側に、前記遊技領域に打ち出されたパチンコ球が入賞可能な入賞装置が配設され、該入賞装置へのパチンコ球の入賞により図柄表示装置での図柄変動演出が開始されるよう構成されており、図柄変動演出の結果として図柄表示装置に所定の組合わせで図柄が停止すると、遊技者に有利な所謂大当りが発生するよう構成されている。
【０００３】
ところで、近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。特に、遊技盤を透明な合成樹脂により形成した所謂「透明遊技盤」が設けられたパチンコ機では、遊技盤の裏側の大部分が図柄表示装置で覆われて、図柄表示装置に表示された画面表示により、遊技盤の盤面の装飾を行なうよう構成されたパチンコ機も提案されてきている(例えば、特許文献１)
【特許文献１】特開２００６−２３０６４３号公報
【発明の開示】
【発明が解決しようとする課題】
【０００４】
ところで、前記遊技盤には、前記図柄表示装置の他に、発光演出装置や可動式の演出装置の電気部品が配置されることが一般的で、該電気部品に接続された配線は、遊技盤の裏側にて取り回されて、対応の制御装置に接続される。一方で、大型の図柄表示装置が配設された遊技盤では、前記配線を取り回し得るスペースが限られることになる。このとき、遊技盤裏側で取り回された配線が図柄表示装置の設置領域に延出していると、図柄表示装置の設置時に、配線を挟み込んだり引っ掛けたりして断線等を誘発する問題がある。また、大型の図柄表示装置が配設された状態では、電気部品に接続される配線を受けるコネクタ受部も図柄表示装置の近傍の限られたスペースに密集するよう配置されることから、図柄表示装置の取り付け時等にはコネクタ受部に図柄表示装置が接触して損傷しないよう慎重に作業を行なう必要があり、作業性が低下する問題も内在している。
【０００５】
そこで、本発明は、図柄表示装置を遊技盤裏側に配設する際に、配線の挟み込みやコネクタ受部の損傷を防止し得る遊技機を提供することを目的とする。
【課題を解決するための手段】
【０００６】
前記課題を克服し、所期の目的を達成するため、請求項１に係る発明の遊技機は、
中枠(12)に前後に開口するよう形成された遊技盤保持部(24)に遊技盤(40)が着脱可能に配設され、該遊技盤(40)の裏側に設けた設置領域(S)に各種図柄を表示可能な図柄表示装置(30)が着脱可能に配設されると共に、該遊技盤(40)に形成した可視表示部(52)を介して、図柄表示装置(30)の表示面(31a)を遊技盤(40)の前側から視認し得るよう構成され、前記中枠(12)の裏側上部に、遊技盤保持部(24)に遊技盤(40)が配設された状態で前記図柄表示装置(30)の上側に位置するように遊技球を貯留する球タンク(26)が配設された遊技機において、
前記図柄表示装置(30)に設けられ、左右の一方側面(32b)から側方へ突出する係止突部(34)と、
前記遊技盤(40)の裏側に設けられて前記設置領域(S)に配設された図柄表示装置(30)と球タンク(26)との間に位置し、該遊技盤(40)の裏側に露出するコネクタ受部(73,74,103,104)と、
前記遊技盤(40)の裏側における前記設置領域(S)の側部に設けられて後方へ突出し、前記可視表示部(52)側に開口して前記係止突部(34)を挿脱可能で、該係止突部(34)を挿入した状態で遊技盤(40)の裏側に当接する方向への図柄表示装置(30)の回動を許容する差込み口(56a)が形成された差込み受部(56)と、
前記遊技盤(40)の裏側に設けられ、前記差込み受部(56)の差込み口(56a)に前記係止突部(34)を挿入した前記図柄表示装置(30)の前面(38)を遊技盤(40)の裏側に当接させた状態で、該図柄表示装置(30)の移動を規制して当該図柄表示装置(30)を前記設置領域(S)に保持する移動規制手段67,75,106,114,123,127,130,135a,135b)と、
前記遊技盤(40)の裏側において前記コネクタ受部(73,74,103,104)の前記図柄表示装置(30)に対向する側に設けられて該コネクタ受部(73,74,103,104)より後方まで突出し、前記図柄表示装置(30)の設置領域(S)を区画する保護壁(81,112)と、
前記遊技盤(40)の裏側に設けられて前記保護壁(81,112)より前記設置領域(S)の外側に位置し、遊技盤(30)を遊技盤保持部(24)に配設した状態で、前記コネクタ受部(73,74,103,104)に接続する配線(HA)を、該設置領域(S)と球タンク(26)との間において前記差込み口(56a)に対する係止突部(34)の挿入方向に延在するよう保持する配線保持部(84,90)とが設けられることを要旨とする。
【０００７】
このように、遊技盤の裏側に設けたコネクタ受部の図柄表示装置に対向する側に、コネクタ受部より後方まで突出する保護壁を形成したことで、遊技盤に設けた差込み受部の差込み口に図柄表示装置の係止突部を挿入する際に図柄表示装置がぶれた場合でも、図柄表示装置がコネクタ受部に接触するのを保護壁で阻止できるから、該コネクタ受部の損傷を防止できる。また、前記保護壁をコネクタ受部よりも後方まで突出させることで、図柄表示装置とコネクタ受部との接触をより確実に阻止できる。更に、遊技盤裏側に配線保持部を設けて、前記コネクタ受部に接続される配線を、図柄表示装置の外側において差込み口に対する係止突部の挿入方向に延在する状態で保持するようにしたから、図柄表示装置の取り付け時に配線の挟み込みや引っ掛かりを防止でき、図柄表示装置の取り付け作業性を向上し得る。
【０００８】
請求項３に係る遊技機は、前記遊技盤(40)は、
前記可視表示部(52)の上方に配設され、前記コネクタ受部としての第１のコネクタ受部(74)を有する第１の電気部品(71)と、
前記差込み受部(56)の形成側に配設され、前記第１のコネクタ受部(73,74)と同一水平位置に前記コネクタ受部としての第２のコネクタ受部(104)を有すると共に、前記設置領域(S)の側外方に前記遊技盤(40)の裏側に露出する第３のコネクタ受部(105)を有する第２の電気部品(101)と、
前記可視表示部(52)の下方に配設され、前記設置領域(S)の下外方に遊技盤(40)の裏側に露出する第４のコネクタ受部(69)を有し、前記第１および第２の電気部品(71,101)を制御する制御装置(157)が接続される中継基板(68)と、
前記差込み受部(56)の形成側において前記設置領域(S)の外側方に設けられ、配線(HB)を上下方向に延在するよう保持する第２の配線保持部(95)とを備え、
前記第１のコネクタ受部(74)および第２のコネクタ受部(104)を接続する配線(HA)が、前記配線保持部(84)により前記設置領域(S)の上外方において前記差込み口(56a)に対する係止突部(34)の挿入方向に延在するよう保持され、
前記第３のコネクタ受部(105)および第４のコネクタ受部(69)を接続する配線(HB)が、前記第２の配線保持部(95)により前記設置領域(S)の外側方において上下方向に延在するよう保持されることを要旨とする。
【０００９】
このように、遊技盤に設けた可視表示部の上方に配設した第１の電気部品と、前記図柄表示装置の係止突部が差込まれる差込み受部の形成側に配設した第２の電気部品とを配線接続し、更に第２の電気部品と可視表示部の下方に配設した中継基板とを配線接続することで、第１の電気部品および第２の電気部品の夫々が制御装置に電気的に接続される。すなわち、前記設置領域への図柄表示装置の取り付け時に、該図柄表示装置の回動支点側となる差込み受部側に位置する第２の電気部品を介して第１の電気部品を中継基板に電気的に接続することで、図柄表示装置を回動して設置領域に取り付けた際に配線を挟み込むのを防止される。更に、第２の電気部品と中継基板とを接続する配線を、遊技盤裏側に設けた第２の配線保持部により、図柄表示装置の外側において上下方向に延在する状態で保持するようにしたから、図柄表示装置の取り付け時に配線の挟み込みや引っ掛かりを防止でき、図柄表示装置の取り付け作業性を向上し得る。
【００１０】
請求項２に係る遊技機は、前記コネクタ受部としての第１のコネクタ受部(74)および第２のコネクタ受部(104)が、前記差込み口(56a)に対する係止突部(34)の挿入方向に離間して同一水平位置に位置し、
前記遊技盤(40)の上方位置に配設された演出用可動装置(62)の駆動手段(64a)が、前記設置領域(S)の上外方において前記第１のコネクタ受部(74)と前記第２のコネクタ受部(104)との間に配置され、
前記第１のコネクタ受部(74)と第２のコネクタ受部(104)とを接続する配線(HA)を、前記設置領域(S)の上外方において前記駆動手段(64a)の後方を通って延在する状態で保持する保持部材(90)が設けられたことを要旨とする。
【００１１】
このように、第１のコネクタ受部と第２のコネクタ受部とを接続する配線を、演出用可動装置の駆動手段の後方を渡すように保持することで、図柄表示装置の取り付け時に配線の挟み込みや引っ掛かりを防止しつつ、上下幅の限られたスペースに配線を通すことができる。
【発明の効果】
【００１２】
本発明に係る遊技機によれば、図柄表示装置を遊技盤裏側に配設する際に、配線の挟み込みやコネクタ受部の損傷を防止できる。
【発明を実施するための最良の形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から見た状態で指称する。
【実施例】
【００１４】
(パチンコ機について)
実施例に係る遊技機は、図１に示すように、矩形枠状に形成されて遊技店の図示しない設置枠台に設置される矩形枠状の外枠１１の開口前面側に、後述する遊技盤４０(図３または図６等参照)を着脱可能に保持した中枠１２が開閉および着脱可能に組み付けられて、該遊技盤４０の裏側に対して、各種図柄を変動表示可能な図柄表示装置３０が着脱し得るよう構成される。また、前記中枠１２の前面側には、前記遊技盤４０を透視保護するガラス板１３ａを備えた前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。
【００１５】
(中枠について)
図１〜図３に示すように、前記中枠１２は、上縁をなす上枠部材２０と、下縁をなし、スピーカ１６や打球発射装置１７、操作ハンドル１８等が設置された下枠部材２１と、左側縁をなす左枠部材２２と、右側縁をなす右枠部材２３とから構成されて、これら上下左右の枠部材２０,２１,２２,２３を組み付けた際に、全体が前記外枠１１の開口に整合する矩形枠状に形成される。そして、前記上下左右の枠部材２０,２１,２２,２３を組み付けた際に前後に開口する開口部分が、前記遊技盤４０を設置する遊技盤保持部２４として機能する(図２参照)。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００１６】
また、図２に示すように、前記左枠部材２２の開口内側(遊技盤保持部２４側)には、上下に離間する位置に、前記遊技盤４０の左側端部を回転および着脱可能に保持する回転保持具２５ａ,２５ａが複数(実施例では２個であるが、１個あるいは３個以上であってもよい)設けられると共に、上下の枠部材２１,２２における右端部(右枠部材２３側)に、遊技盤４０の右側上下端部を固定する固定具２５ｂ,２５ｂが夫々設けられている。すなわち、前記遊技盤４０を中枠１２に配設するには、図３に示すように、前記遊技盤保持部２４に斜めに遊技盤４０を臨ませて、該遊技盤４０の左側端部を前記回転保持具２５ａ,２５ａで保持した状態で、遊技盤４０の右側端部を押し込んで遊技盤４０の左側端部(回転保持具２５ａ,２５ａ)を中心に回動させて遊技盤４０の全体を遊技盤保持部２４に臨ませて、前記固定具２５ｂ,２５ｂで遊技盤４０の右側上下端部を支持固定する。このように、実施例に係る遊技盤４０は、前記中枠１２と同様に、左側端部が回転中心となるよう支持される。なお、以下の説明において、パチンコ機１０(遊技盤４０)における左側を枢支端側と指称し、右側を開放端側と指称することもある。
【００１７】
図３または図４に示すように、前記上枠部材２０の裏側には、設置枠台等に設けられた外部球供給設備から供給されるパチンコ球を貯留する球タンク２６が、該上枠部材２０の左右幅の略全幅に亘って設けられている。この球タンク２６は、図２、図３または図１４に示すように、前記遊技盤保持部２４に配設された遊技盤４０の上部位置と前後に重なるよう構成されて、遊技盤４０の上下寸法を最大限大きくし得るようになっている。ここで、前記球タンク２６は、前記外部球供給設備から供給されるパチンコ球を貯留するタンク本体２６ａと、該タンク本体２６ａの左後端部側(図４では右側)に位置して、該タンク本体２６ａに貯留したパチンコ球を一列に整列する球整流部２６ｂとが設けられている。すなわち、前記球タンク２６と遊技盤４０との関係では、前記球整流部２６ｂの形成位置においては球タンク２６(球整流部２６ｂ)と遊技盤４０との間に間隙が形成されて、配線ＨＡ(図１４参照)の挟み込みが起きに難くしてある。
【００１８】
また、前記下枠部材２１の裏側には、前記上下の球受け皿１４,１５に連通する球供給路および設置枠台に設けた球回収樋に連通する球排出路(何れも図示せず)が夫々形成されたセット部材２７が配設されている(図４参照)。前記球タンク２６とセット部材２７とは、各部材２６,２７における左枠部材２２側の端部間に架設された球通路ユニット２８を介して連通接続されており、該球通路ユニット２８に配設された球払出し装置２８ａの駆動により球タンク２６に供給されたパチンコ球を前記上下の球受け皿１４,１５へ給出するよう構成されている。また、このセット部材２７には、図４に示すように、パチンコ機１０の電源制御を行なう電源装置１５１、前記球通路ユニット２８に配設した球払出し装置２８ａを駆動制御する払出し制御装置１５２、前記打球発射装置１７を駆動制御する発射制御装置１５３、外部端末に接続されるインターフェース基板１５４等が配設されている。なお、これらの各装置１５１,１５２,１５３,１５４は、前記遊技盤４０の裏側に配設される主制御装置１５０(後述)に配線接続され、該主制御装置１５０からの制御信号に基づいて所定の制御を実行するようになっている。
【００１９】
(図柄表示装置について)
次に、前記遊技盤４０に配設される図柄表示装置３０の構成につき説明する。図５に示すように、実施例に係る図柄表示装置３０は、各種図柄を表示可能な液晶パネル３１が収容ケース３２に収容されたユニット部材であって、該収容ケース３２の後面３２ａに、液晶パネル３１の表示を制御する表示制御装置１５５や液晶パネル３１のバックライトを制御するインバータ装置(図示せず)が配設される。更に、前記表示制御装置１５５およびインバータ装置の背面側には、後述する各発光装置７１,１０１,１２１を発光制御する統括制御装置１５７が前後に重なるよう配設されており、該統括制御装置１５７の制御信号に基づいて表示制御装置１５５が制御を実行して液晶パネル３１の表示面３１ａで図柄変動ゲームが行なわれると共に、各発光装置７１,１０１,１２１が発光するようになっている。なお、前記統括制御装置１５７も前記主制御装置１５０に配線接続され、該主制御装置１５０からの制御信号に基づいて制御を実行するよう設定される。
【００２０】
前記収容ケース３２は、前方へ開口する矩形箱状に形成されて前記液晶パネル３１の背面および外周を囲繞するケース本体３３と、該ケース本体３３の開口前縁に組み付けられ、該液晶パネル３１の前面側外周縁に当接する矩形枠状に形成された前カバー体３６とから構成され、液晶パネル３１が固定されたケース本体３３に前カバー体３６を組み付けるようになっている。ここで、前記前カバー体３６は、前記ケース本体３３の開口部５３ａ前側から内挿され、液晶パネル３１の外周を囲繞する枠状の支持壁部３７と、該支持壁部３７の前端部に形成されて開口内側に延出し、前記液晶パネル３１における表示面３１ａの縁部に当接するフレーム部３８(図柄表示装置３０の前面)とから構成されており、液晶パネル３１の外周を、前記ケース本体３３および支持壁部３７で２重に囲繞する構造となっている。なお、前記前カバー体３６を前後に開口する矩形枠状に形成することで、図柄表示装置３０(液晶パネル３１)の表示面３１ａへの写り込みが防止される。
【００２１】
また、図５に示すように、前記支持壁部３７における上下の辺部には、前後方向に延在する第１補強片３７ａが左右方向に離間する複数箇所に形成されると共に、該支持壁部３７における左右の辺部には、前後方向に延在する第２補強片３７ｂが上下の角部の近傍に１箇所ずつ形成されており、該第１および第２補強片３７ａ,３７ｂが液晶パネル３１外面に当接することで、図柄表示装置３０が収容ケース３２内に保持される。すなわち、前記図柄表示装置３０の外周と収容ケース３２(支持壁部３７)との間には、一定の隙間(図５(b)参照)が介在するようになっており、該隙間により収容ケース３２が弾性変形することで、成型誤差等が生じた場合でも液晶パネル３１を収容ケース３２に容易に組み付けようになっている。
【００２２】
そして、前記収容ケース３２(ケース本体３３)には、図５に示すように、遊技盤４０の枢支端側に位置する左側面(左右の一方側面)３２ｂの前端に、側方(左側面３２ｂから離間する方向)へ突出する板状の係止突部３４,３４が上下に離間する２箇所に設けられている(図５では右側)。この係止突部３４は、前記遊技盤４０の裏側に設けられる後述の差込み受部５６,５６(図８、図１８等参照)と係脱可能に係止されるようになっている。また、前記収容ケース３２(ケース本体３３)における前記液晶パネル３１と対向する後面３２ａには、遊技盤４０の開放端側に位置する右側面(左右の他方側面側)３２ｃの上下端部に、後方へ突出する支持部３５,３５が夫々形成されており、遊技盤４０の裏側に設けた後述のロック部材１３５ａ,１３５ｂ(図４、図８、図９等参照)が対応の支持部３５,３５に対して係脱可能に係止されるようになっている。なお、前記収容ケース３２の後面３２ａにおける前記各支持部３５の周縁部は弧状に面取りされて、前記ロック部材１３５ａ,１３５ｂを容易に係止させうるようになっている。また、前記各支持部３５の内部側(液晶パネル３１側)には、上下方向へ延在する補強リブ３５ａが左右方向に離間して複数設けられており、前記ロック部材１３５ａ,１３５ｂが支持部３５に係止された状態で、該支持部３５,３５が変形するのを防止している。
【００２３】
(遊技盤について)
前記遊技盤４０は、図６〜図８に示すように、前記中枠１２の遊技盤保持部２４に整合する略正方形に形成されたアクリルやポリカーボネート等の光透過性の合成樹脂材からなる平板状の透明板４１と、該透明板４１の後面に組み付けられて前記図柄表示装置３０が着脱可能に配設される裏ユニット５１とから構成され、該裏ユニット５１に形成された前後に開口する可視表示部５２を介して図柄表示装置３０の表示面３１ａを前面側から視認し得るよう構成されている。ここで、実施例の裏ユニット５１に形成される前記可視表示部５２は、該裏ユニット５１の上下および左右幅の大部分が開口する大型の開口部である。
【００２４】
(透明板について)
図１、図３または図６に示すように、前記透明板４１の前面には、略円形状に湾曲形成したレール４２が配設されて、該レール４２によりパチンコ球が流下可能な遊技領域４０ａが画成され、前記打球発射装置１７から発射されたパチンコ球が遊技領域４０ａ内に打ち出されるようになっている。また、前記透明板４１の下方位置には、前記遊技領域４０ａを流下するパチンコ球が入賞可能な始動入賞装置４３や特別入賞装置４４が配設されており、該始動入賞装置４３にパチンコ球が入賞することで、前記図柄表示装置３０において図柄変動ゲームが展開され、該図柄変動ゲームの結果、図柄表示装置３０に所定の図柄組合わせで図柄が停止表示されると、前記特別入賞装置４４の入賞口４４ａが開放して所謂大当りが発生し、多数の賞球を獲得し得るよう構成されている。また、前記透明板４１の前面には、前記図柄表示装置３０において主に図柄変動ゲームが展開される領域を囲む庇状部材４６が配設されており、前記遊技領域４０ａに打ち出されたパチンコ球が図柄変動ゲームが展開される領域を横切って流下しないようになっている。なお、前記遊技領域４０ａには、前記庇状部材４６の外側位置に多数の遊技釘４７が植設されると共に、前記レール４２の外側に、複数のコーナー飾り部材４８が配設されている。また、前記透明板４１における前記庇状部材４６より左方位置には、パチンコ球を検出する球検出センサ(図示せず)を備えた球通過ゲート４５が設けられている。
【００２５】
(裏ユニットについて)
前記裏ユニット５１は、図８、図８または図１１に示すように、透視不能な合成樹脂材(例えばＡＢＳ樹脂)から、外郭形状が前記透明板４１と略整合する大きさおよび形状に形成され、該裏ユニット５１の略中央位置に前記可視表示部５２が開設された枠状に形成されている。ここで、前記可視表示部５２は、上下の縁部が略水平に延在すると共に、左右側縁が開口外側へ向けて弧状に膨出する略小判状に開口するようになっている。なお、以下の説明では、前記裏ユニット５１において、前記可視表示部５２より上側の部位を上枠部５３と指称し、該可視表示部５２より下側の部位を下枠部５４と指称する。また、裏ユニット５１において、前記可視表示部５２の上下縁部の間(すなわち上下の枠部５３,５４の間)であって枢支端側(左端側)の枠部分を枢支端側枠部５５と指称し、可視表示部５２の上下縁部の間(すなわち上下の枠部５３,５４の間)であって開放端側(右端側)の枠部分を開放端側枠部５８と指称するものとする。
【００２６】
図８に示すように、前記裏ユニット５１には、前記図柄表示装置３０の前面(フレーム部３８)に当接して前方移動を規制する前側位置規制部(具体的には、後述する各発光装置７１,１０１,１２１の基板カバー７５,１０６,１２３)と、図柄表示装置３０の後面３２ａに当接して後方移動を規制する後側位置規制部(具体的には、後述のロック部材１３５ａ,１３５ｂ)と、図柄表示装置３０の上面３２ｄに当接して上方移動を規制する上側位置規制部(具体的には後述の台座部材１３０)と、図柄表示装置３０の下面３２ｅに当接して下方移動を規制する下側位置規制部(具体的には後述の設置部材６７)と、図柄表示装置３０の左右の側面３２ｂ,３２ｃに当接して側方移動を規制する側部位置規制部(具体的には後述の規制壁１１４,１２７)とからなる位置規制手段が設けられている。すなわち、各位置規制部６７,７５,１０６,１１４,１１７,１２３,１３０,１３５ａ,１３５ｂにより図柄表示装置３０が前後、左右および上下に移動するのを規制することで、図柄表示装置３０が所定の設置領域Ｓに保持されるようになっている。ここで、前記設置領域Ｓは、前記図柄表示装置３０を保持した際に、該図柄表示装置３０が占有する領域である。そして、前記設置領域Ｓに図柄表示装置３０を保持することで、前記可視表示部５２の開口域全体が図柄表示装置３０の表示面３１ａで閉成されるようになっている。
【００２７】
(上枠部について)
図６、図１１または図１２に示すように、前記裏ユニット５１における上枠部５３の前面には、文字を表わした文字装飾部６０が設けられると共に、該文字発光部の左右両側部に第１の可動装置(演出用可動装置)６２が配設され、裏ユニット５１における前記可視表示部５２の下方位置に、第２の可動装置６５が前記始動入賞口の左右両側に位置するよう配置されている。ここで、前記文字装飾部６０は、光透過性および光拡散性を有するレンズ部６１ａにより、文字「Ｃ」、「Ｏ」、「Ｂ」、「Ｒ」、「Ａ」を表わしたものである。なお、実施例では、５文字の文字装飾部６０を設けているが、これに限られるものでないことは当然である。そして、前記上枠部５３において各文字と前後に対応する位置には、前後に開口する開口部５３ａ(図１２または図１３参照)が開設されて、該開口部５３ａを介して各文字装飾部６０の後方から後述する第１の発光装置７１のＬＥＤ７２ａが臨むようになっている(後述)。
【００２８】
また、前記上枠部５３には、図８または図９に示すように、前記文字装飾部６０の左右両側に第１の可動装置６２,６２が配設されている。前記第１の可動装置６２は、前記裏ユニット５１の上枠部５３に固定される平板状のケース体６３と、該ケース体６３の下部に配設されて上下方向に揺動し、下方への揺動時に可視表示部５２の開口内側に臨む可動体６２ａ(図１１参照)と、当該ケース体６３における可動体６２ａより上方に配設されて上枠部５３より後方に突出するソレノイド(駆動手段)６４ａ,６４ｂと、該可動体６２ａとソレノイド６４ａ,６４ｂを連繋接続する連繋手段(図示せず)とを備え、該可動体６２ａの内部にＬＥＤ等の発光体(図示せず)が内蔵されている。また、前記第１の可動装置６２を上枠部５３に配設した状態において、前記ケース体６３は、前記各発光装置７１,１０１,１２１の基板カバー７５,１０６,１２３と同一水平面に位置し、前記ソレノイド６４ａ,６４ｂは、前記図柄表示装置３０の設置領域Ｓの上外方(図柄表示装置３０と球タンク２６との間)に位置するよう構成されている。なお、以下の説明では、前記裏ユニット５１の枢支端側に位置するソレノイドを第１ソレノイド６４ａと指称し、開放端側に位置するソレノイドを第２ソレノイド６４ｂと指称して区別する。また、前記中枠１２の球タンク２６との関係において、前記第１ソレノイド６４ａは、前記タンク本体２６ａと球整流部２６ｂとの境界位置の下方に配置されており、該第１ソレノイド６４ａより枢支端側においては、前記裏ユニット５１と球タンク２６(球整流部２６ｂ)との間に比較的前後幅の大きな間隙が画成されて、配線ＨＡが挟み込まれるのを防止している。
【００２９】
(枢支端側枠部について)
前記裏ユニット５１の枢支端側枠部５５には、図８、図９、図１８〜図２０に示すように、上下に離間する２箇所に、前記図柄表示装置３０に形成した前記係止突部３４,３４を挿脱可能な差込み受部５６,５６が後方へ突出するよう形成されている。ここで、前記各差込み受部５６は、前記図柄表示装置３０のフレーム部３８が当接する前側位置規制部(基板カバー７５,１０６,１２３)より後方へ突出するよう形成されると共に、前記可視表示部５２側に開口するよう差込み口５６ａが開設され、可視表示部５２から遊技盤４０の枢支端側へ前記係止突部３４を移動して該差込み受部５６の差込み口５６ａに挿入するようになっている。
【００３０】
また、前記差込み口５６ａに対して対応の係止突部３４を挿入した状態で、前記図柄表示装置３０のフレーム部３８を前側位置規制部(基板カバー７５,１０６,１２３)に当接させた際に、該係止突部３４の後面が差込み受部５６,５６の後壁部５６ｂの内面に当接するよう構成されている。すなわち、前記係止突部３４,３４の後壁部５６ｂと差込み受部５６,５６との当接により、図柄表示装置３０の枢支端側が後方移動するのを規制している。また、図９または図１８に示すように、前記枢支端側枠部５５の下方位置に位置する差込み受部の後壁部５６ｂには、後方へ突出する固定ボス部５６ｃが上下に離間する位置に形成されて、後述する第２の配線保持部材９５(図８参照)の設置部として機能するようになっている。なお前記固定ボス部５６ｃの後端面にはネジ孔５６ｄが形成されている。
【００３１】
(下枠部について)
図８〜図１０に示すように、前記裏ユニット５１の下枠部５４には、前記透明板４１に配設された前記始動入賞装置４３および特別入賞装置４４の後方を挿通する挿通孔５４ａ(図１１または図１２参照)が前後に開口するよう形成されて、該挿通孔５４ａに挿通させた始動入賞装置４３の左右両側に前記第２の可動装置６５,６５が配設されている。また、前記下枠部５４の裏側には、前方に開口する横長矩形箱状に形成された設置部材６７が配設されて、該設置部材６７の内部に前記始動入賞装置４３、特別入賞装置４４および第２の可動装置６５を収容するようになっている。そして、前記設置部材６７は、前記前側位置規制部(基板カバー７５,１０６,１２３)より後方に突出するよう構成され、該設置部材６７の上面６７ａ(具体的には後述する下側金属規制片１４５の支持板部１４７)で前記図柄表示装置３０の下面３２ｅを支持するようになっている。すなわち、前記設置部材６７の上面６７ａが図柄表示装置３０を支持する支持面として機能している。
【００３２】
また、図８〜図１０に示すように、前記設置部材６７の後面には、中継基板６８を設置する基板設置部６７ｂが設けられており、該基板設置部６７ｂに配設された中継基板６８に対して、パチンコ機１０や図柄表示装置３０の裏側に配置された各種制御装置１５１,１５２,１５３,１５４,１５５,１５７や各発光装置７１,１０１,１２１、その他の各種の電気部品が配線接続されている。なお、前記設置部材６７の適宜位置には、中継基板６８に接続される配線を係止保持する配線止め６７ｃを形成してある。また、前記設置部材６７の裏側には、前記主制御装置１５０を着脱可能に設置する主基板ベース７０(図４参照)が配設されて、該主基板ベース７０に配設された主制御装置１５０も、前記中継基板６８に配線接続されるようになっている。なお、裏ユニット５１と設置部材６７との間には、後述する第３のＬＥＤ基板１２２と中継基板６８とを接続する配線(図示せず)を挿通し得る空間部(図示せず)が画成されている。
【００３３】
更に、前記裏ユニット５１の前側には、図６、図１１、図１２に示すように、前記枢支端側枠部５５、上枠部５３および開放端側枠部５８の夫々に亘って環状に延在する円環状装飾部６１が設けられている。この円環状装飾部６１は、光透過性および光拡散性を有する複数のレンズ部６１ａを周方向に所定間隔離間して配置し、各レンズ部６１ａの間を装飾カバー６１ｂで覆うよう構成される。そして、前記円環状装飾部６１は、前記可視表示部５２の左右側縁に沿って延在すると共に、該円環状装飾部６１の内側に、前記文字発光部、第１の可動装置６２および第２の可動装置６５の夫々が位置するよう構成されている。また、前記円環状装飾部６１は、前記透明板４１に形成される略円形の遊技領域４０ａの内側において、該遊技領域４０ａの周縁に沿うよう設けられており、裏ユニット５１を透明板４１に組み付けた際に、該透明板４１を介して文字装飾部６０、第１の可動装置６２、第２の可動装置６５、円環状装飾部６１および可視表示部５２の臨む図柄表示装置３０の夫々を前側から視認されるようになっている。なお、前記裏ユニット５１の枢支端側枠部５５および開放端側枠部５８においてレンズ部６１ａと前後に対応する位置には、前後に開口する通孔５５ａ,５８ａ(図１２参照)が開設されており、該通孔５５ａ,５８ａを介して各レンズ部６１ａの後方からＬＥＤ１０２ａ,１２２ａが臨むようになっている(後述)。
【００３４】
(発光装置について)
図１２、図１３、図１８、図２４に示すように、前記上枠部５３の裏側には、前記各文字装飾部６０を発光させる第１の発光装置(第１の電気部品)７１が配設され、前記枢支端側枠部５５の裏側には、該枢支端側枠部５５側に位置する各レンズ部６１ａを発光させる第２の発光装置(第２の電気部品)１０１が配設され、前記開放端側枠部５８の裏側には、該開放端側枠部５８側に位置する各レンズ部６１ａを発光させる第３の発光装置１２１が配設されて、該第１〜第３の発光装置７１,１０１,１２１の後方に前記図柄表示装置３０が配置されている。なお、前記円環状装飾部６１において前記上枠部５３に位置するレンズ部６１ａは、該上枠部５３の前側に配設された発光手段(図示せず)により発光されるようになっている。また、前記上枠部５３、枢支端側枠部５５および開放端側枠部５８には、後方へ突出すると共に後端部にネジ孔５３ｃ,５５ｃ,５８ｃを有する固定ボス部５３ｂ,５５ｂ,５８ｂが複数箇所に形成されると共に、該固定ボス部５３ｂ,５５ｂ,５８ｂより後方突出寸法を小さく設定した突起部５３ｄ,５５ｄ,５８ｄが形成されている。
【００３５】
(第１の発光装置について) 
前記第１の発光装置７１は、図１３に示すように、前記裏ユニット５１の上枠部５３の裏側に配置され、表面に複数のＬＥＤ７２ａが実装され、前記第１の可動装置６２,６２の第１および第２ソレノイド６４ａ,６４ｂの間に位置する第１のＬＥＤ基板７２と、該第１のＬＥＤ基板７２の裏側を覆う第１の基板カバー７５とから構成されており、前記上枠部５３における前記文字装飾部６０と対応する位置に開設した開口部５３ａを介して、各ＬＥＤ７２ａが文字装飾部６０の裏側に対向するようになっている。なお、実施例では、文字「Ｃ」に対応する位置には５個のＬＥＤ７２ａが配置されると共に、文字「Ｏ」、「Ｂ」、「Ｒ」、「Ａ」の夫々に対応する位置には６個のＬＥＤ７２ａが配置されている。ここで、文字「Ｃ」に対応する５個のＬＥＤ７２ａは、全てが直列に接続されたＬＥＤ群Ｇをなすよう構成され、文字「Ｏ」、「Ｂ」、「Ｒ」、「Ａ」の夫々に対応する６個のＬＥＤ７２ａは、３個のＬＥＤ７２ａずつが直列に接続されて、直列接続された３個のＬＥＤ７２ａ毎にＬＥＤ群Ｇをなすよう構成されている(図１５参照)。従って、第１のＬＥＤ基板７２には、９個の独立したＬＥＤ群Ｇが設けられている。また、前記第１のＬＥＤ基板７２の裏面には、１８個のブロック状の配線パターン部７２ｂが設けられて、２つのブロック状の配線パターン部７２ｂを導通するよう抵抗器７２ｃが実装されている。この抵抗器７２ｃは、前記各ＬＥＤ群Ｇ毎に対応し、前記統括制御装置１５７からの制御信号に基づいて、当該ＬＥＤ群Ｇ毎にスタティック駆動制御されるようになっている。
【００３６】
また、前記第１のＬＥＤ基板７２の裏面には、図１５に示すように、上縁部に沿って複数のコネクタ受部７３,７４が設けられている。ここで、前記第１のＬＥＤ基板７２において裏ユニット５１の枢支端側(第１ソレノイド６４ａ側)には、該枢支端側から順に、前記第１ソレノイド６４ａに対応する第１の可動装置６２の可動体６２ａに内蔵した発光体からの配線が接続されるコネクタ受部７３、および該第１ソレノイド６４ａからの配線が接続されるコネクタ受部７３の２つのコネクタ受部が配置されている。一方、前記第１のＬＥＤ基板７２において裏ユニット５１の開放端側(第２ソレノイド６４ｂ側)には、該開放端側から順に、前記第２ソレノイド６４ｂに対応する第１の可動装置６２の可動体６２ａに内蔵した発光体からの配線が接続されるコネクタ受部７３、前記第２の発光装置１０１からの配線ＨＡが接続される中継接続用のコネクタ受部(第１のコネクタ受部)７４、および該第２ソレノイド６４ｂからの配線が接続されるコネクタ受部７３の３つのコネクタ受部が配置されている。なお、第１のＬＥＤ基板７２上に配設されるコネクタ受部７３,７４は、同一水平線上に位置するよう配置されると共に、該第１のＬＥＤ基板７２上に形成したプリントパターンにより、前記発光体および各ソレノイド６４ａ,６４ｂが配線接続されるコネクタ受部７３の夫々は、前記中継接続用のコネクタ受部７４に接続するよう構成されている。
【００３７】
図１５に示すように、前記第１のＬＥＤ基板７２には、前記上枠部５３に形成した固定ボス部５３ｂに対応する位置に、該固定ボス部５３ｂを挿通可能な通孔７２ｄまたは切欠部７２ｅが形成されている。すなわち、図１６に示すように、各固定ボス部５３ｂを対応の通孔７２ｄおよび切欠部７２ｅに挿通した際に、前記上枠部５３に形成した突起部５３ｄが前記第１のＬＥＤ基板７２の表面に当接して、該上枠部５３と第１のＬＥＤ基板７２との間に一定の隙間が画成されるようになっている。また、前記第１のＬＥＤ基板７２を上枠部５３に配設した状態で、前記各コネクタ受部７３,７４は前記図柄表示装置３０の設置領域Ｓの上外方(図柄表示装置３０と球タンク２６の底面との間)に位置している。
【００３８】
(第１の基板カバーについて)
前記第１の基板カバー７５は、図１５に示すように、前記第１のＬＥＤ基板７２の裏面に対向し、該裏面と略整合する形状に形成された対向面部(背面)７６と、該対向面部７６の周縁から前方へ立ち上がるよう形成されて、該第１のＬＥＤ基板７２を囲繞する周壁部７７とから形成されて、該周壁部７７の前端部が上枠部５３の裏面に当接するようになっている。この第１の基板カバー７５における対向面部７６には、左右端部近傍に後方へ突出する突部７５ａが形成されており、該突部７５ａに前記図柄表示装置３０のフレーム部３８が当接するよう構成されている。
【００３９】
また、図１３または図１５に示すように、前記第１の基板カバー７５には、前記上枠部５３の固定ボス部５３ｂと前後に整列する位置に、該固定ボス部５３ｂのネジ孔５３ｃと前後に整列するネジ通孔７８ａを有する円筒状ボス部７８が、前方(第１のＬＥＤ基板７２側)へ突出するよう形成されている。すなわち、前記周壁部７７の内側に第１のＬＥＤ基板７２を臨ませた際に、該円筒状ボス部７８の前端が第１のＬＥＤ基板７２の裏面に当接するようになっている。そして、前記円筒状ボス部７８のネジ通孔７８ａに挿通したネジを前記固定ボス部５３ｂのネジ孔５３ｃに螺挿することで、第１の基板カバー７５が上枠部５３に固定される。このとき、前記第１のＬＥＤ基板７２は、前記上枠部５３に形成した突起部５３ｄ、および前記第１の基板カバー７５に形成した円筒状ボス部７８に当接して、該第１の基板カバー７５と上枠部５３との間および第１のＬＥＤ基板７２と第１の基板カバー７５の対向面部７６との間に所定の隙間を保持した状態で固定される。
【００４０】
また、前記第１の基板カバー７５には、図１６に示すように、前記図柄表示装置３０のフレーム部３８が当接する当接部分より上方位置に、第１の基板カバー７５の内部に連通する上側放熱口７９が複数形成されると共に、該フレーム部３８との当接部分より下方位置に、第１の基板カバー７５の内部に連通する下側放熱口８０が複数形成されている。ここで、前記各上側放熱口７９は、前記対向面部７６から前記第１の基板カバー７５の上面６７ａ(第１の基板カバー７５の上縁側に設けられた周壁部７７)に亘って延在するよう形成され、前記各下側放熱口８０は、該対向面部７６から第１の基板カバー７５の下面(第１の基板カバー７５の下縁側に設けられた周壁部７７)に亘って延在するよう形成される。また、前記第１の基板カバー７５の対向面部７６には、隣接する上側放熱口７９同士の間および隣接する下側放熱口８０同士の間に、前記第１のＬＥＤ基板７２側に突出する突条部７６ａが上下方向に延在するよう形成されて、第１の基板カバー７５の剛性を向上させている。なお、前記第１のＬＥＤ基板７２に配設された各抵抗器７２ｃは、第１のＬＥＤ基板７２を第１の基板カバー７５で覆った際に、前記上下の放熱口７９,８０の間に位置するよう構成され、該第１の基板カバー７５内を流通する空気が抵抗器７２ｃに触れて、効果的に熱交換し得るようになっている。
【００４１】
更に、図１３、図１５に示すように、前記第１の基板カバー７５には、前記第１のＬＥＤ基板７２における前記裏ユニット５１の開放端側(第２ソレノイド６４ｂ側)に設けた３つのコネクタ受部７３,７３,７４に対応する位置に、前後に開口する第１コネクタ挿通口７６ｂが開設されると共に、第１のＬＥＤ基板７２における裏ユニット５１の枢支端側(第１ソレノイド６４ａ側)に設けた２つのコネクタ受部７３,７３に対応する位置に、前後に開口する第２コネクタ挿通口７６ｃが開設されている。すなわち、第１および第２のコネクタ挿通口７６ｂ,７６ｃを介して、対応の各コネクタ受部７３,７４が裏ユニット５１の裏側に露出するよう構成されている。また、前記第１の基板カバー７５の対向面部７６における第１コネクタ挿通口７６ｂの下縁部(コネクタ受部７３,７４が図柄表示装置３０に対向する側)には、該第１コネクタ挿通口７６ｂに挿通されたコネクタ受部７３,７４より後方まで突出する第１の下側保護壁(保護壁)８１が一体形成されている。すなわち、第１の下側保護壁８１により、図柄表示装置３０の設置領域Ｓと、第１コネクタ挿通口７６ｂに挿通されたコネクタ受部７３,７４とを区画している(図１４参照)。なお、前記第１の下側保護壁８１から前記設置部材６７の上面６７ａまでの離間寸法は、前記図柄表示装置３０の上下幅寸法より僅かに大きくなるようよう設定されており、該図柄表示装置３０を設置領域Ｓに設置した状態では、図柄表示装置３０が第１の下側保護壁８１に当接しないようになっている。
【００４２】
図８、図１５に示すように、前記第１の基板カバー７５における対向面部７６には、左右に位置する第１コネクタ挿通口７５ｂと第２コネクタ挿通口７６ｃとの間に、該対向面部７６の上端縁(すなわち各コネクタ受部７３,７４より上方位置)から、各コネクタ挿通口７６ｂ,７６ｃに挿通されたコネクタ受部７３,７４より後方まで突出する所定幅の第１の上側保護壁(上側保護壁)８２が一体形成されている。更に、前記対向面部７６における上端縁の左右の角部には、前記第１の上側保護壁８２と同一水平位置において、各コネクタ挿通口７６ｂ,７６ｃに挿通されたコネクタ受部７３,７４より後方まで突出する所定幅の第２の上側保護壁(上側保護壁)８３が夫々一体形成されている。すなわち、前記第１および第２の上側保護壁８２,８３は、前記球タンク２６の底面と、各コネクタ受部７３,７４とを区画している(図１４参照)。なお、前記各第２の上側保護壁８３における相互に対向する端縁は、後方突出端から前方へ向かうにつれて、対向する第２の上側保護壁８３へ向けて近接する傾斜状に形成されて、前記コネクタ受部７３,７４に対する配線接続を容易に行ない得るよう構成されている。
【００４３】
また、図１３〜図１５に示すように、前記第１の基板カバー７５の対向面部７６には、前記各第１の上側保護壁８２と対向する下方位置に、前記中継接続用のコネクタ受部７４に接続する配線ＨＡを保持する弾性変形可能な第１の配線フック(配線保持部)８４,８４が夫々形成されている。前記第１の配線フック８４,８４の夫々は、前記第１の下側保護壁８１が延在する位置より上方(すなわち図柄表示装置３０の設置領域Ｓの外側)に位置するよう設けられると共に、後端部が対応する第１の上側保護壁８２に向けて湾曲形成されている。すなわち、前記第１の配線フック８４,８４を弾性変形させて、前記中継接続用のコネクタ受部７４に接続する配線ＨＡを、各第１の配線フック８４と対応の第１の上側保護壁８２との間に挿通することで、前記図柄表示装置３０と球タンク２６との間において、左右方向(すなわち前記差込み口５６ａに対する係止突部３４の挿入方向)に延在するよう保持し得るようになっている。
【００４４】
(第２の発光装置について) 
図８または図１８に示すように、前記第２の発光装置１０１は、前記裏ユニット５１の枢支端側枠部５５の裏側に配置され、表面に複数のＬＥＤ１０２ａが実装される第２のＬＥＤ基板１０２と、該第２のＬＥＤ基板１０２の裏面側を覆う第２の基板カバー１０６とから構成されている。前記第２のＬＥＤ基板１０２に配設されたＬＥＤ１０２ａは、前記枢支端側枠部５５に設けられた前記円環状装飾部６１のレンズ部６１ａと対応する位置に開設された通孔５５ａを介して、レンズ部６１ａの裏側に対向するようになっている。なお、前記第２のＬＥＤ基板１０２に配設された各ＬＥＤ１０２ａは、統括制御装置１５７からの制御信号に基づいてダイナミック駆動制御されて、ＬＥＤ１０２ａ毎に独立して発光制御し得るようになっている。なお、前記第１ソレノイド６４ａは、前記第１の発光装置７１と第２の発光装置１０１との間に位置するよう配置されている(図８、図９図１７等参照)。
【００４５】
前記第２のＬＥＤ基板１０２は、前記可視表示部５２の左側縁(枢支端側の縁部)に沿って湾曲すると共に、該可視表示部５２の上端縁から下端縁の間に亘って延在する大きさに形成されている。そして、図１８に示すように、前記第２のＬＥＤ基板１０２の裏面には、上縁部および上下方向の中間位置の夫々にコネクタ受部１０３,１０４,１０５が設けられている。ここで、第２のＬＥＤ基板１０２の上端部には、前記上枠部５３に設けた円環状装飾部６１のレンズ部６１ａに対応する発光手段からの配線が接続されるコネクタ受部１０３と、前記第１のＬＥＤ基板７２に設けた中継接続用のコネクタ受部７４との間で配線接続される中継接続用のコネクタ受部(第２のコネクタ受部)１０４とが設けられている。なお、前記第１の発光装置７１に設けたコネクタ受部７４と、第２の発光装置１０１に設けたコネクタ受部１０４とを接続する配線ＨＡは、前記第１ソレノイド６４ａを跨ぐよう設けられた第１の配線保持部材９０(後述)により保持される。
【００４６】
一方で、前記第２のＬＥＤ基板１０２における上下方向の中間位置に設けられるコネクタ受部(第３のコネクタ受部)１０５は、該第２のＬＥＤ基板１０２状の設けたプリントパターンにより、該第２のＬＥＤ基板１０２上の各ＬＥＤ１０２ａおよび上端部側に設けた２つのコネクタ受部１０３,１０４に対して電気的に接続されると共に、前記中継基板６８のコネクタ受部(第４のコネクタ受部)６９(図９参照)に接続される。すなわち、前記第１の発光装置７１および第２の発光装置１０１に設けた対応のコネクタ受部７４,１０４同士を配線接続すると共に、第２の発光装置１０１および中継基板６８に設けた対応のコネクタ受部６９,１０５同士を配線接続することで、第１の発光装置７１のＬＥＤ７２ａ、第２の発光装置１０１のＬＥＤ１０２ａ、第１の可動装置６２の発光体およびソレノイド６４ａ,６４ｂ、前記上枠部５３に設けた円環状装飾部６１のレンズ部６１ａに対応する前記発光手段の夫々が、前記統括制御装置１５７に対して電気的に接続される。なお、前記第２の発光装置１０１に設けたコネクタ受部１０５と、中継基板６８に設けたコネクタ受部６９とを接続する配線ＨＢは、前記差込み受部５６の後壁部５６ｂに設けられた第２の配線保持部材９５(後述)により保持するよう構成されている(図２１参照)。
【００４７】
また、前記第２のＬＥＤ基板１０２には、図１８に示すように、前記枢支端側枠部５５に形成した固定ボス部５５ｂに対応する位置に、該固定ボス部５５ｂを挿通可能な通孔１０２ｂまたは切欠部１０２ｃが形成されている。すなわち、各固定ボス部５５ｂを対応の通孔１０２ｂおよび切欠部１０２ｃに挿通した際に、前記枢支端側枠部５５に形成した突起部５５ｄが前記第２のＬＥＤ基板１０２の表面に当接して、該枢支端側枠部５５と第２のＬＥＤ基板１０２との間に一定の隙間が画成されるようになっている。また、前記第２のＬＥＤ基板１０２を枢支端側枠部５５に配設した状態において、該第２のＬＥＤ基板１０２の上端部に設けた各コネクタ受部１０３,１０４は、前記第１のＬＥＤ基板７２に設けたコネクタ受部７３,７４と同一水平位置に位置して、前記図柄表示装置３０の設置領域Ｓの上外方(図柄表示装置３０と球タンク２６の底面２６ａとの間)に位置するようになっている。また、前記第２のＬＥＤ基板１０２における上下方向の中間位置に設けたコネクタ受部１０５は、前記図柄表示装置３０の設置領域Ｓの側外方(図柄表示装置３０と遊技盤保持部２４との間)に位置している。
【００４８】
(第２の基板カバーについて)
前記第２の基板カバー１０６は、前記第２のＬＥＤ基板１０２の裏面に対向し、該裏面と略整合する形状に形成された対向面部(背面)１０７と、該対向面部１０７の周縁から前方へ立ち上がる周壁部１０８とから形成されて、該第２の基板カバー１０６の配設時に、周壁部１０８の前端部が枢支端側枠部５５の裏面に当接するようになっている。また、前記第２の基板カバー１０６には、前記枢支端側枠部５５の固定ボス部５５ｂと前後に整列する位置に、該固定ボス部５５ｂのネジ孔５５ｃと前後に整列するネジ通孔１０９ａを有する円筒状ボス部１０９が、前方(第２のＬＥＤ基板１０２側)へ突出するよう形成されている。従って、前記周壁部１０８の内側に第２のＬＥＤ基板１０２を臨ませた際に、該円筒状ボス部１０９の前端が第２のＬＥＤ基板１０２の裏面に当接するようになっている。そして、前記円筒状ボス部１０９のネジ通孔１０９ａに挿通したネジを前記固定ボス部５５ｂのネジ孔５５ｃに螺挿することで、第２の基板カバー１０６が枢支端側枠部５５に固定される。
【００４９】
ここで、図１８〜図２０に示すように、前記第２の基板カバー１０６の対向面部１０７は、前記可視表示部５２側に位置し、図柄表示装置３０のフレーム部３８に当接する当接支持面１１０と、前記上下の差込み受部５６,５６の間に臨むと共に、該当接支持面１１０より前側に位置する平面部１１１とから段差状に形成されている。すなわち、前記図柄表示装置３０のフレーム部３８は、前記第２の基板カバー１０６における対向面部１０７の当接支持面１１０に当接して前方移動が規制されるようになっている。また、前記当接支持面１１０には上下に離間する複数箇所(実施例では３箇所)に、後方へ突出する突部１０６ａが形成されており、該突部１０６ａに前記図柄表示装置３０のフレーム部３８が当接するよう構成されている(図１９参照)。
【００５０】
そして、前記当接支持面１１０の上端部には、図１８に示すように、前後に開口する第３コネクタ挿通口１１０ａが開設されて、該第３コネクタ挿通口１１０ａを介して前記第２のＬＥＤ基板１０２の上端部に設けた２つのコネクタ受部１０３,１０４が裏ユニット５１の裏側に露出するようになっている。また、前記第２の基板カバー１０６の対向面部１０７(当接支持面１１０)には、前記第３コネクタ挿通口１１０ａの下縁部(コネクタ受部１０３,１０４が図柄表示装置３０に対向する側)に、該第３コネクタ挿通口１１０ａに挿通されたコネクタ受部１０３,１０４より後方まで突出する第２の下側保護壁(保護壁)１１２が一体形成されている。この第２の下側保護壁１１２は、前記第１の発光装置７１における前記第１の基板カバー７５に形成された前記第１の下側保護壁８１と同一水平位置に位置して、図柄表示装置３０の設置領域Ｓと、コネクタ受部１０３,１０４とを区画するようになっている。そして、前記第２の基板カバー１０６の上端部には、前記上枠部５３に設けた発光手段からの配線が接続される前記コネクタ受部１０３に対応する第３コネクタ挿通口１１０ａの上方位置に、該配線(図示せず)を係止する配線フック１１０ｂが形成されており、該配線フック１１０ｂに係止することで、当該発光手段からの配線が、図柄表示装置３０と球タンク２６との間(前記第２の下側保護壁１１２と球タンク２６との間)に保持されるようになっている。なお、前記上枠部５３には、前記第２の基板カバー１０６に設けた配線フック１１０ｂと前後に対応する位置に、該上枠部５３に設けた発光手段からの配線を挿通する挿通孔５３ｅが形成されている。
【００５１】
また、図１８〜図２１に示すように、前記第２の基板カバー１０６の当接支持面１１０には、当接支持面１１０から枢支端側へ向かうにつれて前方へ傾斜する傾斜案内面１１３が上下方向の全長に亘って形成されており、該傾斜案内面１１３の傾斜前端部において前記各差込み受部５６の差込み口５６ａが開口するようになっている(図１９または図２０参照)。なお、前記各差込み受部５６の差込み口５６ａは、当接支持面１１０の後方側から前方側に至る位置で開口している。すなわち、前記図柄表示装置３０のフレーム部３８を傾斜案内面１１３に沿って傾斜する姿勢で、該図柄表示装置３０に形成した係止突部３４が差込み口５６ａに挿入し得るようになっている(図２０参照)。
【００５２】
図１８に示すように、前記第２の基板カバー１０６における平面部１１１には、前記傾斜案内面１１３の傾斜前端部に整列した上下に離間する位置に、前記当接支持面１１０より後方へ突出する第１の規制壁(第１の側部位置規制部)１１４が上下方向に所定長さ延在するよう形成されている。この第１の規制壁１１４は、前記差込み受部５６より可視表示部５２側に位置するよう構成されており、差込み受部５６の差込み口５６ａに係止突部３４を挿入した際に、前記図柄表示装置３０の左側面３２ｂ(遊技盤４０の枢支端側側面)が該第１の規制壁１１４に当接して位置規制されるようになっている。また、前記平面部１１１には、前記第１の規制壁１１４より枢支端側に、前後に開口する第４コネクタ挿通口１１１ａが開設されており、該第４コネクタ挿通口１１１ａを介して、第２のＬＥＤ基板１０２に設けたコネクタ受部１０５が裏ユニット５１の裏側に露出するようになっている。
【００５３】
ここで、前記当接支持面１１０からの第１の規制壁１１４の突出高さは、前記差込み受部５６が当接支持面１１０より後方へ突出する寸法(差込み口５６ａが当接支持面１１０より後方へ開口する寸法)より小さく設定される。これにより、前記傾斜案内面１１３に沿って係止突部３４を傾斜させた姿勢で挿入した際に、図柄表示装置３０の左側面３２ｂと第１の規制壁１１４との間に生ずる隙間を最小限にし得るようになっている。また、前記当接支持面１１０における上下の中間位置には、後方および左右方向に開口する凹状部１１５が形成されている。更に、前記平面部１１１には、略Ｌ字状の配線止め１１６が複数箇所(実施例では２箇所)に形成されており、前記透明板４１に形成された球通過ゲート４５に設けられた球検出センサ(図示せず)に接続する配線を、前記凹状部１１５を通すと共に各配線止め１１６に係止して、前記中継基板６８に接続するようになっている。すなわち、前記球検出センサに接続する配線を、前記凹状部１１５に通すことで、前記当接支持面１１０に図柄表示装置３０のフレーム部３８を当接させた際に、該配線が挟み込まれるのを防止している。
【００５４】
(第１の配線保持部材について)
図８、図９、図１４、図２２に示すように、前記第１の配線保持部材(保持部材、配線保持部)９０は、前記第１の発光装置７１に形成した前記第２コネクタ挿通口７６ｃおよび前記第１の可動装置６２における第１ソレノイド６４ａの後方を囲繞するよう形成されて、前記第１の発光装置７１と第２の発光装置１０１とを接続する配線ＨＡを、前記設置領域Ｓの上外方において第１ソレノイド６４ａの後方を通って延在する状態で保持するようになっている。この第１の配線保持部材９０は、前記第２コネクタ挿通口７６ｃの下縁側に位置する下面部９１と、該下面部９１に立設されて、該第２コネクタ挿通口７６ｃの開放端側の端縁から前記第１ソレノイド６４ａの後方を通って該第１ソレノイド６４ａの枢支端側の側部まで延在する平面視略コ字状の第１区隔壁９２と、該下面部９１に立設され、該第１区隔壁９２から後方に所定間隔離間して位置する第２区隔壁９３とから基本的に構成されて、該第１区隔壁９２と第２区隔壁９３との間に、第１の発光装置７１と第２の発光装置１０１とを接続する配線ＨＡを挿通するようになっている(図１７参照)。
【００５５】
前記第１区隔壁９２において左右に離間して位置する前端部の夫々には、外方へ向けて突出するフランジ部９２ａ,９２ａの夫々が形成されている。各フランジ部９２ａには、前後に開口する位置決め孔９２ｂと、通孔９２ｃとが夫々形成されており、前記第２コネクタ挿通口７６ｃの端縁側に位置するフランジ部９２ａの位置決め孔９２ｂに、前記第１の基板カバー７５に設けた突片８５ａの位置決め突部８５ｂ(図１５参照)を挿入すると共に、前記第１のソレノイド６４ａの側部側に位置するフランジ部９２ａの位置決め孔９２ｂに、前記第１の可動装置６２に設けた突片６３ａ(図１７参照)の位置決め突部(図示せず)を挿入して、各フランジ部９２ａの通孔に挿通したネジを、各突片６３ａ,８５ａのネジ孔８５ｃ(図１５に突片８５ａのネジ孔８５ｃのみ図示)に螺挿することで、第１の配線保持部材９０が固定される。
【００５６】
ここで、前記下面部９１は、図１４に示すように、前記第１の発光装置７１に形成した第１の下側保護壁８１および前記第２の発光装置１０１に形成した第２の下側保護壁１１２と同一水平位置に位置するよう構成されており、第１および第２区隔壁９２,９３の間に挿通した配線ＨＡが前記設置領域Ｓの上外方(図柄表示装置３０と球タンク２６との間)に位置するよう構成されている。なお、前記第１の配線保持部材９０の下面部９１には、前記第１ソレノイド６４ａが臨む切欠９１ａ(図２２参照)が形成されており、該切欠９１ａに第１のソレノイド６４ａを臨ませた状態で、当該第１のソレノイド６４ａの下端部が前記下面部９１と同一平面上に位置するよう構成されている。
【００５７】
また、前記第１区隔壁９２の高さ寸法は、前記第１ソレノイド６４ａの上下寸法と略一致するよう設定される一方、前記第２区隔壁９３の高さ寸法は、該第１区隔壁９２より小さく設定される。すなわち、前記第１の配線保持部材９０は、前記第１のソレノイド６４ａの上下の厚み内に収まるよう形成される。また、前記第２区隔壁９３には、上端部を前記第１区隔壁９２へ向けて湾曲させた第２の配線フック９４,９４が弾性変形し得るよう形成されており、第１および第２区隔壁９２,９３の間に挿通した配線ＨＡを各第２の配線フック９４で保持するよう構成されている。そして、前記第１区隔壁９２において、前記各第２の配線フック９４と対応する位置は、切欠部９２ｄが形成されており、第２の配線フック９４に対して配線ＨＡを容易に係止させ得るようになっている。
【００５８】
(第２の配線保持部材について)
図８、図２１または図２３に示すように、前記第２の配線保持部材(第２の配線保持部)９５は、下方に位置する前記差込み受部５６の後壁部５６ｂに当接する前面部９６と、該前面部９６における差込み受部５６の可視表示部５２側の端部から後方へ突出する平板状の第３区隔壁９７と、前面部９６の枢支端側から後方へ突出する第４区隔壁９８とから上下および後方へ開放するよう形成されて、該第３および第４区隔壁９７,９８の間に、前記第２の発光装置１０１と中継基板６８とを接続する配線ＨＢを挿通するよう構成されている。なお、前記前面部９６には、下方に位置する前記差込み受部５６に形成された前記固定ボス部５５ｂ,５５ｂを挿入可能な挿入孔９６ａ,９６ａが形成されており、各挿入孔９６ａに挿入した固定ボス部５５ｂのネジ孔５５ｃにネジを螺挿することで、該差込み受部５６に第２の配線保持部材９５が固定される。
【００５９】
また、前記第４区隔壁９８は、図２３に示すように、前記第３区隔壁９７と平行な平板部９８ａと、該平板部９８ａより下方に位置して、下方へ向かうにつれて第３区隔壁９７側に湾曲する湾曲部９８ｂとからなり、第３および第４区隔壁９７,９８の間の上方開口より下方開口の開口幅の方が小さくなっている。なお、前記第３区隔壁９７は、前記湾曲部９８ｂの下端部より下方まで延在し、前記第２の発光装置１０１と中継基板６８とを接続する配線ＨＢが図柄表示装置３０の設置領域Ｓ側にはみ出すのを防止している。また、前記第２の配線保持部材９５には、前記平板部９８ａと湾曲部９８ｂとの間に、後端部が第３区隔壁９７へ向けて湾曲した弾性変形可能な第３の配線フック９９が設けられており、第３および第４区隔壁９７,９８の間に挿通された配線ＨＢを第３の配線フック９９で係止保持するようになっている。なお、前記裏ユニット５１の枢支端側枠部５５には、前記差込み受部５６より下方位置に、後方へ向かうにつれて可視表示部５２側に湾曲する湾曲片５７が弾性変形可能に設けられており(図８参照)、第３の配線フック９９で保持した配線ＨＢを該湾曲片５７の内側を通して前記中継基板６８に接続するようになっている。すなわち、前記第３および第４区隔壁９７,９８の間に挿通した配線ＨＢが、前記枢支端側枠部５５の端部(遊技盤保持部２４側)にはみ出さないよう前記湾曲片５７で規制している。
【００６０】
(第３の発光装置について)
図８または図２４に示すように、前記第３の発光装置１２１は、前記裏ユニット５１の開放端側枠部５８の裏側に配置され、表面に複数のＬＥＤ１２２ａが実装される第３のＬＥＤ基板１２２と、該第３のＬＥＤ基板１２２の裏面側を覆う第３の基板カバー１２３とから構成されており、前記開放端側枠部５８における前記円環状装飾部６１のレンズ部６１ａと対応する位置に開設された通孔５８ａを介して、各ＬＥＤ１２２ａがレンズ部６１ａの裏側に対向するようになっている。なお、前記第３のＬＥＤ基板１２２に配設された各ＬＥＤ１２２ａは、統括制御装置１５７からの制御信号に基づいてダイナミック駆動制御されて、ＬＥＤ１２２ａ毎に単独で発光制御し得るよう構成されている。
【００６１】
前記第３のＬＥＤ基板１２２は、前記可視表示部５２の右側縁(開放端側の縁部)に沿って湾曲すると共に、該可視表示部５２の上端縁から下端縁の間に亘って延在する大きさに形成されている。前記第３のＬＥＤ基板１２２の表面には、前記可視表示部５２から離間する端縁側に、側方からコネクタを抜き差し可能なコネクタ受部１２２ｄが設けられており、該コネクタ受部１２２ｄに接続した配線を、前記裏ユニット５１と設置部材６７との間に設けた空間部を介して前記中継基板６８に接続するよう構成されている。また、前記第３のＬＥＤ基板１２２には、前記開放端側枠部５８に形成した固定ボス部５８ｂに対応する位置に、該固定ボス部５８ｂを挿通可能な通孔１２２ｂまたは切欠部１２２ｃが形成されている。すなわち、各固定ボス部５８ｂを対応の通孔１２２ｂおよび切欠部１２２ｃに挿通した際に、前記開放端側枠部５８に形成した突起部５８ｄが前記第３のＬＥＤ基板１２２の表面に当接して位置決めされる。
【００６２】
(第３の基板カバーについて)
前記第３の基板カバー１２３は、図２４に示すように、前記第３のＬＥＤ基板１２２の裏面に対向し、該基板１２２と略整合する形状に形成された対向面部(背面)１２４と、該対向面部１２４の周縁から前方へ立ち上がる周壁部１２５とから形成されて、該第３の基板カバー１２３の配設時に、周壁部１２５の前端部が開放端側枠部５８の裏面に当接するようになっている。また、前記第３の基板カバー１２３には、前記開放端側枠部５８の固定ボス部５８ｂと前後に整列する位置に、該固定ボス部５８ｂのネジ孔５８ｃと前後に整列するネジ通孔１２６ａを有する円筒状ボス部１２６が、前方(第３のＬＥＤ基板１２２側)へ突出するよう形成されており、前記周壁部１２５の内側に第３のＬＥＤ基板１２２を臨ませた際に、該円筒状ボス部１２６の前端が第３のＬＥＤ基板１２２の裏面に当接するようになっている。そして、前記円筒状ボス部１２６のネジ通孔１２６ａに挿通したネジを前記固定ボス部５８ｂのネジ孔５８ｃに螺挿することで、第３の基板カバー１２３が開放端側枠部５８に固定される。この第３の基板カバー１２３における対向面部１２４には、上下に離間する複数箇所(実施例では３箇所)に後方へ突出する突部１２３ａが形成されており、該突部１２３ａに前記図柄表示装置３０のフレーム部３８が当接するよう構成されている。
【００６３】
図２４〜図２６に示すように、前記第３の基板カバー１２３の対向面部１２４には、が後方へ突出する第２の規制壁(第２の側部位置規制部)１２７が上下方向に所定長さ延在するよう形成されている。この第２の規制壁１２７は、前記設置領域Ｓに図柄表示装置３０を設置した際に、該図柄表示装置３０の右側面３２ｃ(遊技盤４０の開放端側側面)における上下方向の中間位置に当接して、図柄表示装置３０の右方向(開放端側端部方向)への移動を規制するようになっている。また、前記第２の規制壁１２７の本体には、前記可視表示部５２側に、基端部から前後方向の中間位置まで、前記第３の基板カバー１２３の対向面部１２４と直交する垂直面１２７ａが形成されると共に、該垂直面１２７ａの後端部側に、後方へ向かうにつれて可視表示部５２から離間する方向へ傾斜する傾斜面１２７ｂが形成されている。
【００６４】
更に、前記垂直面１２７ａには、図２５に示すように、可視表示部５２側に突出する第１の当接案内片(当接案内片)１２８が上下に離間する複数箇所に設けられている。この第１の当接案内片１２８は、基端部側に位置して前記図柄表示装置３０の右側面３２ｃにおける上下方向の中間位置に当接する第１の当接部(当接部)１２８ａと、該第１の当接部１２８ａの後端に連設されて後方へ向かうにつれて可視表示部５２から離間する方向へ傾斜する第１の案内部(案内部)１２８ｂとが設けられている。ここで、前記傾斜面１２７ｂおよび第１の案内部１２８ｂの傾斜角度が同一になるよう設定されている。
【００６５】
前記第１の規制壁１１４および第２の規制壁１２７は、該第１の規制壁１１４から前記第１の当接部１２８ａまでの離間寸法が、前記図柄表示装置３０の左右幅寸法と略一致するよう設定されている。すなわち、前記設置領域Ｓへの図柄表示装置３０の配設時には、前記第２の規制壁１２７の傾斜面１２７ｂに当接した図柄表示装置３０の右側面３２ｃを第１の当接案内片１２８へ向けて誘導し、該第１の当接案内片１２８に至ると、前記第１の案内部１２８ｂにより図柄表示装置３０の右側面３２ｃを第１の当接部１２８ａまで誘導するようになっている。また、前記第２の規制壁１２７における前記可視表示部５２から離間した面には、上下に離間する位置に、略三角形状の支持リブ１２９が前記第３の基板カバー１２３の対向面部１２４から第２の規制壁１２７の本体との間に連接されて、該第２の規制壁１２７の撓み変形を防止している。
【００６６】
(台座部材について)
また、図８、図９に示すように、前記裏ユニット５１の上枠部５３には、前記第２ソレノイド６４ｂよりも開放端側に、前記図柄表示装置３０の上方移動を規制する前記上側位置規制部としての台座部材１３０が配設されている。この台座部材１３０は、図２７、図２８に示すように、前記裏ユニット５１の上枠部５３に固定される基台部１３１と、該基台部１３１に設けられて後方へ突出する規制突部１３２とから構成された略Ｌ字状の部材である。そして、前記基台部１３１と前記各発光装置７１,１０１,１２１における基板カバー７５,１０６,１２３の対向面部７６,１０７,１２４とが、同一平面上に位置するよう構成されている。そして、前記規制突部１３２は、前記図柄表示装置３０を設置領域Ｓに配設した状態で、該規制突部１３２の下面が図柄表示装置３０の上面３２ｄに対向するよう前記基台部１３１の上端部に設けられると共に、該規制突部１３２の下面が、前記第１の下側保護壁８１、第２の下側保護壁１１２および第１の配線保持部材９０の下面部９１と同一水平面上に位置するよう構成されている。なお、前記基台部１３１には、前記規制突部１３２の下方位置に、後方および裏ユニット５１の開放端側に開放する凹部１３１ａが形成されており、該凹部１３１ａに後述する上側金属規制片(金属製位置規制部)１４０が配設されている。
【００６７】
また、前記規制突部１３２における下面側の基端部には、下方に突出する第２の当接案内片１３３が基端部側の左右に離間する複数箇所に形成されており、図柄表示装置３０を設置領域Ｓに配設した状態で、該第２の当接案内片１３３が図柄表示装置３０の上面３２ｄに当接するようになっている。すなわち、前記台座部材１３０における第２の当接案内片１３３が、前記上側位置規制部として機能する。この第２の当接案内片１３３は、前記図柄表示装置３０の上面３２ｄに当接する第２の当接部１３３ａと、該第２の当接部１３３ａの後端に連設されて後方へ向かうにつれて前記可視表示部５２から離間する方向へ傾斜する第２の案内部１３３ｂとからなり、図柄表示装置３０の配設時には、該図柄表示装置３０の上面３２ｄが第２の案内部１３３ｂに沿って第２の当接部１３３ａに誘導されるようになっている。ここで前記下側位置規制部としての設置部材６７および上側位置規制部としての台座部材１３０は、該設置部材６７の上面６７ａから台座部材１３０の第２の当接部１３３ａまでの離間寸法が、前記図柄表示装置３０の上下幅寸法と略一致するよう設定されている。すなわち、前記設置領域Ｓへの図柄表示装置３０の配設時には、図柄表示装置３０の上面３２ｄが前記第２の当接案内片１３３における第２の案内部１３３ｂに沿って第２の当接部１３３ａに誘導されて、該図柄表示装置３０の上面３２ｄが第２の案内部１３３ｂに当接すると共に、図柄表示装置３０の下面３２ｅが設置部材６７の上面６７ａに当接支持されるようになっている。
【００６８】
(ロック部材について)
図８、図９、図２７に示すように、前記規制突部１３２の後端面、および前記設置部材６７の後端面において規制突部１３２の上下に略整合する位置には、図柄表示装置３０の後面３２ａに当接して後方移動を規制する後側位置規制部としてのロック部材１３５ａ,１３５ｂが配設されている。なお、前記台座部材１３０(規制突部１３２)の後端面に配設される上ロック部材１３５ａと、前記設置部材６７の後端面に配設される下ロック部材１３５ｂとは基本的な構成が同一であるので、上ロック部材１３５ａについて説明し、下ロック部材１３５ｂに関しては、同一の符号を付して詳細な説明を省略する。
【００６９】
前記上ロック部材１３５ａは、前記規制突部１３２の後端面に対して軸部１３８を介して一端部が枢支されたレバー状部材であって、該軸部１３８から下方に突出して前記図柄表示装置３０の後面３２ａに当接係止可能な係止位置(図４、図９参照)と、該規制突部１３２上で軸部１３８から開放端部側に延在して該図柄表示装置３０との係止状態が解除された解除位置(図８、図１４、図２７等参照)の夫々に回転変位させるようになっている。また、前記下ロック部材１３５ｂも同様に、一端部が前記設置部材６７の後端面に軸部１３８を介して枢支されたレバー状部材であって、該軸部１３８から上方に突出して前記図柄表示装置３０の後面３２ａに当接係止可能な係止位置と、該設置部材６７上で軸部１３８から左右方向に延在して該図柄表示装置３０との係止状態が解除される解除位置の夫々に回転変位させるよう構成される。すなわち、前記上ロック部材１３５ａは、係止位置に変位することで前記図柄表示装置３０の上端部に設けられた前記支持部３５に当接し、前記下ロック部材１３５ｂは、係止位置に変位することで図柄表示装置３０の下端部に設けられた支持部３５に当接するようになっている。
【００７０】
また、前記上下のロック部材１３５ａ,１３５ｂは、図２７に示すように、前記図柄表示装置３０の支持部３５,３５に当接する平面状に形成された当接面部１３６と、該当接面部１３６の後面側に設けられて長手方向に延在し、後方へ突出する摘み部１３７とから断面略Ｔ字状に形成されており、摘み部１３７を摘んで回転操作することで、該上下のロック部材１３５ａ,１３５ｂを前記係止位置および解除位置の間で回転させ得るようになっている。なお、前記摘み部１３７は、長手方向の略中央位置において窪むよう湾曲しており、摘み部１３７を摘み易くなっている。
【００７１】
ここで、前記上下のロック部材１３５ａ,１３５ｂを前記係止位置に変位した状態において、前記前側位置規制部(基板カバー７５,１０６,１２３)から当接面部１３６までの離間寸法が、前記図柄表示装置３０の前面(フレーム部３８)から対応の支持部３５,３５までの前後の厚み寸法と略同一になるよう設定されている。すなわち、前記図柄表示装置３０を前記前側位置規制部(基板カバー７５,１０６,１２３)に当接させた際には、前述のように、該前側位置規制部(基板カバー７５,１０６,１２３)に形成された前記突部７５ａ,１０６ａ,１２３ａが前記図柄表示装置３０のフレーム部３８に当接することから、係止位置に変位した状態での各ロック部材１３５ａ,１３５ｂの当接面部１３６,１３６よりも、該突部７５ａ,１０６ａ,１２３ａの突出高さ分だけ前記各支持部３５,３５が後方へ突出する。従って、前記各ロック部材１３５ａ,１３５ｂを解除位置から係止位置に回転変位した際には、前記突部７５ａ,１０６ａ,１２３ａまたは前記図柄表示装置３０の前面(フレーム部３８)が弾性変形しつつ、各ロック部材１３５ａ,１３５ｂの当接面部１３６,１３６が対応の支持部３５,３５に当接係止されるようになっている。
【００７２】
(金属製位置規制部)
図８に示すように、前記裏ユニット５１の裏側には、前記図柄表示装置の右側面３２ｃを位置規制する上側金属規制片１４０および下側金属規制片１４５が配設されている。前記上側金属規制片１４０は、図８、図２７、図２８等に示すように、前記台座部材１３０の凹部１３１ａに固定される平板状の第１固定片部１４１と、該第１固定片部１４１における前記裏ユニット５１の開放端側の端部から後方へ屈曲形成された第１規制片部１４２とからなる略Ｌ字状の部材であって、該凹部１３１ａに第１固定片部１４１を固定した際に、該第１固定片部１４１が凹部１３１ａから突出しないよう構成されている。また、前記下側金属規制片１４５は、図８、図１０に示すように、前記裏ユニット５１の下枠部５４に固定され、前記可視表示部５２の下端部に沿って左右方向に延在する第２固定片部１４６と、該第２固定片部１４６の下端部から後方へ屈曲形成されて、前記設置部材６７の上面６７ａに当接支持される支持板部(金属製支持板)１４７と、該第２固定片部１４６における前記裏ユニット５１の開放端側の端部から後方へ屈曲形成された第２規制片部１４８とから構成される。
【００７３】
ここで、図２８に示すように、前記第１および第２規制片部１４２,１４８の夫々は、前記可視表示部５２側の面が前記第３の発光装置１２１に設けた前記第２の規制壁１２７の垂直面１２７ａと同一直線状に位置するよう構成されている。すなわち、前記第１および第２規制片部１４２,１４８の夫々は、前記設置領域Ｓに設置された前記図柄表示装置３０の右側面３２ｃに対して、前記第２の規制壁１２７に設けられた前記第１の当接部１２８ａの厚み分だけ離間している(図２８参照)。従って、第１および第２規制片部１４２,１４８は、常には前記図柄表示装置３０から離間し、振動等により図柄表示装置３０の収容ケース３２が変形した際に、第１および第２規制片部１４２,１４８の夫々が図柄表示装置３０の右側面３２ｃに当接して位置規制する。また、前記第１規制片部１４２および第２規制片部１４８の夫々が前記前側位置規制部(基板カバー７５,１０６,１２３)から突出する突出寸法は、前記第２の規制壁１２７が前側位置規制部(基板カバー７５,１０６,１２３)から突出する突出寸法より小さく設定されており(図７参照)、図柄表示装置３０を着脱する際に、該図柄表示装置３０の右側面３２ｃが第１および第２規制片部１４２,１４８に干渉しないようになっている。
【００７４】
そして、前記上側金属規制片１４０における第１規制片部１４２は、図８、図９、図２８等に示すように、前記図柄表示装置３０の右側面３２ｃにおける上角部近傍に当接すると共に、前記下側金属規制片１４５における第２規制片部１４８は、前記図柄表示装置３０の右側面３２ｃにおける下角部近傍に当接するよう構成される。具体的には、前記第１規制片部１４２は、前記収容ケース３２の上角部側に設けた第２補強片３７ａの形成位置から上端部までの間に当接するよう構成され、前記第２規制片部１４８は、前記収容ケース３２の下角部側に設けた第２補強片３７ａの形成位置から下端部までの間に当接するよう構成される。すなわち、前記第１および第２規制片部１４２,１４８が、図柄表示装置３０において剛性の高い部位に当接するよう構成することで、第１および第２規制片部１４２,１４８が図柄表示装置３０の右側面３２ｃに当接した際に、図柄表示装置３０を確実に位置規制し得るようになっている。
【００７５】
〔実施例の作用〕
次に、前述のように構成された実施例に係るパチンコ機１０の作用につき説明する。
【００７６】
(遊技盤に対する図柄表示装置の着脱について)
まず、前記遊技盤４０(裏ユニット５１)に対する図柄表示装置３０の固定につき説明する。前記図柄表示装置３０の左側面３２ｂに形成した一対の係止突部３４,３４を、前記裏ユニット５１の枢支端側枠部５５に形成した対応の差込み受部５６,５６の差込み口５６ａ,５６ａに挿入し、この状態で右側面３２ｃが裏ユニット５１に近接するよう図柄表示装置３０を回転させる。そして、図柄表示装置３０の前面(フレーム部３８)を前記裏ユニット５１の裏側に設けた前記第１〜第３の発光装置７１,１０１,１２１における基板カバー７５,１０６,１２３の対向面部７６,１０７,１２４に当接させると共に、上下のロック部材１３５ａ,１３５ｂを解除位置から係止位置へ回転変位させて、該上下のロック部材１３５ａ,１３５ｂを図柄表示装置３０の対応する支持部３５,３５に当接させることで、当該図柄表示装置３０が裏ユニット５１の設置領域Ｓに取り付けられる。
【００７７】
一方、前記遊技盤４０(裏ユニット５１)から図柄表示装置３０を取り外すには、前記上下のロック部材１３５ａ,１３５ｂを係止位置から解除位置に回転変位させて、該上下のロック部材１３５ａ,１３５ｂを図柄表示装置３０の対応する支持部３５,３５から離間させ、この状態で、図柄表示装置３０の右側面３２ｃ側が後方に移動するよう回転させる。そして、前記図柄表示装置３０の左側面３２ｂに形成した一対の係止突部３４,３４を、前記裏ユニット５１の枢支端側枠部５５に形成した対応の差込み受部５６,５６の差込み口５６ａ,５６ａから抜き出すことで、当該図柄表示装置３０が裏ユニット５１の設置領域Ｓから取り外される。このように、図柄表示装置３０を遊技盤４０(裏ユニット５１)に取り付ける際には、遊技盤４０(裏ユニット５１)に設けた差込み受部５６,５６の差込み口５６ａ,５６ａに、図柄表示装置３０の係止突部３４,３４を挿入したもとで、図柄表示装置３０のフレーム部３８を前側位置規制部(基板カバー７５,１０６,１２３)に当接させてロック部材１３５ａ,１３５ｂを係止位置に回転変位させるだけでよく、反対に図柄表示装置３０を遊技盤４０(裏ユニット５１)から取り外す際には、ロック部材１３５ａ,１３５ｂを解除位置に変位させて差込み口５６ａ,５６ａから係止突部３４,３４を抜き出すだけでよいから、重量の嵩む図柄表示装置３０であっても容易に着脱作業を行ない得る。
【００７８】
このとき、前記図柄表示装置３０の前面(フレーム部３８)が、前記各発光装置７１,１０１,１２１における基板カバー７５,１０６,１２３の対向面部７６,１０７,１２４に当接すると共に、該図柄表示装置３０の後面３２ａ(支持部３５,３５)が、前記上下のロック部材１３５ａ,１３５ｂに当接することで、当該図柄表示装置３０の前後移動が規制される。また、前記図柄表示装置３０の右側面３２ｃが、前記第２の発光装置１０１における第２の基板カバー１０６に形成した第１の規制壁１１４に当接すると共に、該図柄表示装置３０の左側面３２ｂが、前記第３の発光装置１２１における第３の基板カバー１２３に形成した第２の規制壁１２７に当接することで、当該図柄表示装置３０の左右移動が規制される。更に、前記図柄表示装置３０の上面３２ｄが、前記台座部材１３０の第２の当接案内片１３３に当接すると共に、該図柄表示装置３０の下面３２ｅが、前記設置部材６７の上面(下側金属規制片１４５の支持板部１４７)に当接することで、当該図柄表示装置３０の上下移動が規制される。すなわち、遊技盤４０(裏ユニット５１)に図柄表示装置３０を配設した状態では、該遊技盤４０(裏ユニット５１)に設けた前側位置規制部(基板カバー７５,１０６,１２３)、ロック部材１３５ａ,１３５ｂ、上下の位置規制部(台座部材１３０、設置部材６７)、第１および第２の側部位置規制部(第１の規制壁１１４、第２の規制壁１２７)の夫々が図柄表示装置３０の対応する外面に当接して、図柄表示装置３０の上下左右および前後の移動を規制するから、パチンコ機１０や遊技盤４０の運搬時や、外枠１１に対する中枠１２の開閉時等に図柄表示装置３０が振動するのを抑制できる。
【００７９】
また、前記差込み口５６ａに係止突部３４を挿入した状態で図柄表示装置３０の前面(フレーム部３８)を前側位置規制部(基板カバー７５,１０６,１２３)に当接させた際には、該係止突部３４の後面が前記差込み受部５６の後壁部５６ｂの内面に当接するよう構成してある。すなわち、前記図柄表示装置３０の前面(フレーム部３８)を前側位置規制部(基板カバー７５,１０６,１２３)に当接させることで、該図柄表示装置３０の上下、左右および前後の各位置が仮決めされ、この状態で前記ロック部材１３５ａ,１３５ｂを係止位置に変位することで図柄表示装置３０の固定をできるから、図柄表示装置の取り付け作業が容易になる。
【００８０】
(図柄表示装置の取り付け容易性について)
前述のように図柄表示装置３０を遊技盤４０(裏ユニット５１)の設置領域Ｓに取り付けるには、該図柄表示装置３０の係止突部３４を枢支端側枠部５５の差込み口５６ａに差込む必要がある。ここで、前記各差込み口５６ａは、前記可視表示部５２側に開口するよう形成されているから、該差込み口５６ａに係止突部３４を挿入するに際しては、図２０に示すように、傾斜させた図柄表示装置３０の左側面３２ｂを前側位置規制部(基板カバー７５,１０６,１２３)に当接させた状態で、該前側位置規制部(基板カバー７５,１０６,１２３)に沿って図柄表示装置３０を差込み口５６ａ側に移動させることになる。このとき、前記前側位置規制部を構成する前記第２の基板カバー１０６の当接支持面１１０には、枢支端側へ向かうにつれて前方へ傾斜する傾斜案内面１１３が上下方向の全長に亘って形成されており、該傾斜案内面１１３の傾斜前端部において前記各差込み受部５６の差込み口５６ａが開口するよう構成してある。従って、前記図柄表示装置３０の左側面３２ｂを差込み口５６ａ側に移動させた際に、該左側面３２ｂ(係止突部３４)が前記傾斜案内面１１３に至ると、傾斜案内面１１３に沿って図柄表示装置３０が前方へ移動すると共に差込み口５６ａに係止突部３４が挿入される。すなわち、前記差込み口５６ａに係止突部３４が差込まれたか否かは、図柄表示装置３０が前方へ移動したか否かで判断できる。このように、作業者は図柄表示装置３０が移動する感覚で前記差込み口５６ａに係止突部３４が差込まれたことを把握でき、図柄表示装置３０の取り付け作業性の向上が図られる。
【００８１】
また、前記図柄表示装置３０の設置領域Ｓは、前記遊技盤４０の(裏ユニット５１)に設けた第１の下側保護壁８１、第２の下側保護壁１１２、第１の配線保持部材９０の下面部９１により上方位置が区画されると共に、前記設置部材６７の上面６７ａにより下方位置が区画されている。そして、前記第１の下側保護壁８１、第２の下側保護壁１１２、および第１の配線保持部材９０の下面部９１から、設置部材６７の上面６７ａまでの距離を、図柄表示装置３０の上下の幅寸法と略一致させてある。従って、各部材６７,８１,９０,１１２間図柄表示装置３０を配置することで、前記係止突部３４と差込み口５６ａとが左右に整列するから、各部材６７,８１,９０,１１２間に臨ませた図柄表示装置３０をそのまま移動するだけで、係止突部３４を差込み口５６ａに挿入することができ、図柄表示装置３０を容易に取り付けることができる。更に、前記設置部材６７の上面６７ａには、前記下側金属規制片１４５の支持板部１４７を配設して、前記図柄表示装置３０の下面３２ｅを支持するよう構成してあるから、図柄表示装置３０の下面３２ｅを支持板部１４７に載置して荷重を支えつつ図柄表示装置３０をスライド移動させ得るから、図柄表示装置３０の取り付け時の作業性が格段に向上される。また、前記係止突部３４は、前記図柄表示装置３０における左側面３２ｂの前端部に形成してあるから、前記差込み受部５６の前側位置規制部(基板カバー７５,１０６,１２３)からの突出寸法を必要最小限にできる。従って、前記係止突部３４を差込み口５６ａへ挿入するに際して傾斜させた図柄表示装置３０と差込み受部５６との干渉を防止できるから、図柄表示装置３０の取り付け作業性を損なうことはない。
【００８２】
なお、前記第１の規制壁１１４を前記差込み受部５６の開口端より可視表示部５２側に位置するよう設けたことで、図柄表示装置３０の遊技盤４０(裏ユニット５１)への取り付け時に、図柄表示装置３０と差込み受部５６との接触が防止されるから、図柄表示装置３０の取り付け作業性の向上が図られる。また、第１の規制壁１１４を上下に離間する差込み受部５６,５６の間に配置してあるから、前記差込み口５６ａ,５６ａに対する係止突部３４,３４の挿入時に、該第１の規制壁１１４で阻害することはなく、図柄表示装置３０の取り付け作業性が損なわれることはない。
【００８３】
(図柄表示装置の左右の位置規制について)
ここで、前記図柄表示装置３０の係止突部３４,３４を前記差込み受部５６,５６の差込み口５６ａ,５６ａに挿入する際には、前記第３の発光装置１２１に設けられる前記第２の規制壁１２７と図柄表示装置３０との干渉を避けるため、前述のように図柄表示装置３０を傾斜させる。実施例のパチンコ機１０では、前記第１の規制壁１１４が第２の基板カバー１０６の対向面部１０７(当接支持面１１０)から後方に突出する突出寸法を、前記差込み受部５６,５６が第２の基板カバー１０６の対向面部１０７(当接支持面１１０)から後方に突出する突出寸法(差込み口５６ａ,５６ａの前後の開口寸法)より小さく設定してある。このため、前記差込み口５６ａ,５６ａに係止突部３４,３４を差込んで第１の規制壁１１４に図柄表示装置３０の左側面３２ｂが当接した際に、該第１の規制壁１１４と図柄表示装置３０の左側面３２ｂとの間に生ずる隙間を最小限に抑制できる。
【００８４】
また、前記第１の規制壁１１４から第２の規制壁１２７までの離間距離を、図柄表示装置３０の左右幅寸法略一致するよう形成してあるから、前記各係止突部３４を対応の差込み口５６ａに差込んで図柄表示装置３０を回転させた際には、前記第２の規制壁１２７に形成された傾斜面１２７ａに図柄表示装置３０の右側面３２ｃが当接する。従って、前記図柄表示装置３０の右側面３２ｃを前記裏ユニット５１に近接するよう移動させた際に、該図柄表示装置の右側面３２ｃが前記傾斜案内面１１３に沿って可視表示部５２側(係止突部３４が差込み口５６ａに差込まれる方向)に移動される。
【００８５】
すなわち、前記図柄表示装置３０の右側面３２ｃを前記裏ユニット５１に近接させるにつれて、前記差込み口５６ａへの係止突部３４の差込み時に前記第１の規制壁１１４と図柄表示装置３０の左側面３２ｂとの間に生ずる前述した隙間がなくなる方向に図柄表示装置３０が移動され、最終的に図柄表示装置３０の前面(フレーム部３８)を前記第１〜第３の基板カバー７５,１０６,１２３に当接させた状態において、当該図柄表示装置３０の左側面３２ｂを第１の規制壁１１４に当接させることができる。更に、前記第２の規制壁１２７の基端部側には、前記図柄表示装置３０の右側面３２ｃに当接する第１の当接部１２８ａと、該第１の当接部１２８ａの後端に連設されて後方へ向かうにつれて可視表示部５２から離間する方向へ傾斜する第１の案内部１２８ｂとを備えた第１の当接案内片１２８を形成してある。従って、前記傾斜案内面１１３に沿って案内された図柄表示装置３０の右側面３２ｃは、前記第１の案内部１２８ｂに沿って可視表示部５２側(係止突部３４が差込み口５６ａに差込まれる方向)に更に移動され、これにより、図柄表示装置３０の左側面３２ｂを前記第１の規制壁１１４側により一層近接させ得る。
【００８６】
このため、前記第１の規制壁１１４から第２の規制壁１２７(第１の当接部１２８ａ)までの離間寸法と、図柄表示装置３０における左右の側面３２ｂ,３２ｃ間の幅寸法とを略一致させた状態で図柄表示装置３０を配設でき、図柄表示装置３０を設置領域Ｓに取り付けた状態での図柄表示装置３０と第１の規制壁１１４および第２の規制壁１２７との間の隙間を極力なくすことができる。左右方向への移動を最小限度に抑制できる。従って、パチンコ機１０または遊技盤４０の運搬や外枠１１に対する中枠１２の開閉により振動が発生した場合であっても、図柄表示装置３０が左右方向に移動するのを極力抑制することができる。
【００８７】
(図柄表示装置の上下の位置規制について)
前記図柄表示装置３０の上面３２ｄに当接する前記台座部材１３０の基端部には、該図柄表示装置３０の上面３２ｄに当接する第２の当接部１３３ａと、該第２の当接部１３３ａの後端に連設されて後方へ向かうにつれて可視表示部５２から離間する方向へ傾斜する第２の案内部１３３ｂとを備えた第２の当接案内片１３３を形成してある。従って、前記各係止突部３４を対応の差込み口５６ａに差込んで前記図柄表示装置３０を回転させた際に、該図柄表示装置の上面３２ｄが第２の案内部１３３ｂに沿って可視表示部５２側(設置部材６７側)に移動される。すなわち、図柄表示装置３０の前面(フレーム部３８)を前記第１〜第３の基板カバー７５,１０６,１２３に当接させた状態では、当該図柄表示装置３０の下面３２ｅを前記設置部材６７の上面６７ａ(下側金属規制片１４５の支持板部１４７)に近接させ得る。このため、前記台座部材１３０(第２の当接部１３３ｂ)から設置部材６７(支持板部１４７)までの離間寸法と、図柄表示装置３０における上下の面３２ｄ,３２ｅ間の幅寸法とを略一致させた状態で図柄表示装置３０を配設でき、図柄表示装置３０を設置領域Ｓに取り付けた状態で上下方向への移動を最小限度に抑制できる。
【００８８】
更に、前記設置部材６７の上面６７ａには、前記下側金属規制片１４５の支持板部１４７が配置されて、該支持板部１４７で前記図柄表示装置３０の下面３２ｅを支持するよう構成されている。すなわち、前記台座部材１３０の第２の当接案内片１３３により図柄表示装置３０を設置部材６７側に近接させることで、該図柄表示装置３０が支持板部１４７で確実に支持される。従って、台座部材１３０および設置部材６７の夫々と図柄表示装置３０との間の隙間を極力なくすことができ、また前記支持板部１４７で図柄表示装置３０を確実に支持しているから、パチンコ機１０または遊技盤４０の運搬や外枠１１に対する中枠１２の開閉により振動が発生しても、図柄表示装置３０が上下方向に移動するのを極力抑制することができる。
【００８９】
(図柄表示装置の前後の位置規制について)
前記上下のロック部材１３５ａ,１３５ｂと図柄表示装置３０との関係では、前記前側位置規制部(基板カバー７５,１０６,１２３)から係止位置にある上下のロック部材１３５ａ,１３５ｂの当接面部１３６,１３６までの離間寸法を、図柄表示装置３０の前後の厚み寸法と略一致するよう設定すると共に、該前側位置規制部(基板カバー７５,１０６,１２３)に、各基板カバー７５,１０６,１２３の対向面部７６,１０７,１２４に、後方へ突出する突部７５ａ,１０６ａ,１２３ａを形成してある。従って、前記上下のロック部材１３５ａ,１３５ｂを解除位置から係止位置に回転変位した際には、前記突部７５ａ,１０６ａ,１２３ａまたは図柄表示装置３０(収容ケース３２のフレーム部３８)の変形を伴いつつ、各ロック部材１３５ａ,１３５ｂが図柄表示装置３０の支持部３５,３５に係止される。すなわち、各ロック部材１３５ａ,１３５ｂの当接面部１３６,１３６が前記図柄表示装置３０の対応の支持部３５,３５に対して圧接するから、パチンコ機１０または遊技盤４０の運搬や外枠１１に対する中枠１２の開閉により振動が発生しても、図柄表示装置３０が前後方向に移動するのを極力抑制することができる。
【００９０】
ここで、前記図柄表示装置３０の各支持部３５には、収容ケース３２の内側に補強リブ３５ａを形成してあるから、該支持部３５に対応のロック部材１３５ａ,１３５ｂが圧接した際に、収容ケース３２(支持部３５)が変形するのを防止でき、これにより図柄表示装置３０の前後方向の移動をより確実に防止して強固な固定を図り得る。また、ロック部材１３５ａ,１３５ｂにおける支持部３５との当接部位を平面状に形成することで、ロック部材１３５ａ,１３５ｂや支持部３５に係る圧力を分散させることができ、図柄表示装置３０を安定して保持することができる。なお、前記図柄表示装置３０の支持部３５は、端縁部を弧状に面取りしてあるから、前記ロック部材１３５ａ,１３５ｂを解除位置から係止位置に回転変位させた際に、該支持部３５に対して容易に当接係止させることが可能である。
【００９１】
すなわち、実施例のパチンコ機１０では、前述した前側位置規制部(基板カバー７５,１０６,１２３)、ロック部材１３５ａ,１３５ｂ、上下の位置規制部(台座部材１３０、設置部材６７)、第１および第２の側部位置規制部(第１の規制壁１１４、第２の規制壁１２７)の夫々と、図柄表示装置３０との関係により、前記遊技盤４０(裏ユニット５１)に図柄表示装置３０を取り付けた状態での、該図柄表示装置３０の上下、左右および前後の移動を極力抑制し得る。このため、図柄表示装置３０を大型化して重量が増大した場合であっても、パチンコ機１０または遊技盤４０の運搬時や外枠１１に対する中枠１２の開閉時等の振動で図柄表示装置３０の移動を極力防止できるから、図柄表示装置３０の移動により各部材６７,７５,１０６,１１４,１２３,１２７,１３０,１３５ａ,１３５ｂに掛かる負荷が軽減され、遊技盤４０(裏ユニット５１)からの図柄表示装置３０が脱落するのを効果的に防止し得る。また、図柄表示装置３０を保持する各部材６７,７５,１０６,１１４,１２３,１２７,１３０,１３５ａ,１３５ｂに掛かる圧力が軽減されることで、樹脂部分が白化等して脆化するのを防止できる。
【００９２】
(図柄表示装置の弾性変形時の位置規制について)
ところで、実施例に係る図柄表示装置３０は、前記液晶パネル３１の背面および外周を囲繞するケース本体３３と、該ケース本体３３の開口前縁に組み付けられる矩形枠状に形成された前カバー体３６とから構成され、液晶パネル３１が固定されたケース本体３３に前カバー体３６を組み付けるようになっている。そして、前記液晶パネル３１と前カバー体３６とは、該前カバー体３６の支持壁部３７に形成した第１補強片３７ａおよび第２補強片３７ｂでのみ当接するよう構成されている。すなわち、液晶パネル３１と支持壁部３７との間に隙間が画成されるよう構成してあるから、ケース本体３３や前カバー体３６に樹脂成形上の寸法誤差が発生しても、ケース本体３３や前カバー体３６の弾性変形を伴いつつ強制的に組み付け得るようになっている。
【００９３】
このように、前記液晶パネル３１を収容ケース３２に収容したことで、該液晶パネル３１の再利用が容易になる一方で、液晶パネル３１の大型化により重量が増大すると、パチンコ機１０または遊技盤４０の運搬時や外枠１１に対する中枠１２の開閉時等の振動で、該収容ケース３２が弾性変形することがある。実施例では、前記裏ユニット５１における開放端側枠部５８の上部位置に上側金属規制片１４０を配設すると共に、該裏ユニット５１の下方に下側金属規制片１４５を配設して、該上下の金属規制片１４０,１４５が前記図柄表示装置３０の右側面３２ｃに当接するよう構成されている。従って、振動等により収容ケース３２が弾性変形して、前記差込み口５６ａから係止突部３４が抜ける方向に図柄表示装置３０を移動させる力が作用した場合でも、該図柄表示装置３０の移動を金属規制片１４０,１４５で確実に規制できる。
【００９４】
ここで、前記上側金属規制片１４０における第１規制片部１４２は、前記図柄表示装置３０の右側面３２ｃにおける上角部近傍に当接すると共に、前記下側金属規制片１４５における第２規制片部１４８は、前記図柄表示装置３０の右側面３２ｃにおける下角部近傍に当接する。具体的には、前記第１規制片部１４２は、前記収容ケース３２に形成した上角部側の補強片３７ａの形成位置から上端部までの間に当接するよう構成され、前記第２規制片部１４８は、前記収容ケース３２に形成した下角部側の補強片３７ａの形成位置から下端部までの間に当接するよう構成されている。すなわち、前記第１および第２規制片部１４２,１４８が、図柄表示装置３０(収容ケース３２)の剛性の高い部位に当接するように構成してあるから、第１および第２規制片部１４２,１４８が図柄表示装置３０の右側面３２ｃに当接した際に、当該図柄表示装置３０を確実に位置規制し得る。
【００９５】
また、前記上下の金属規制片１４０,１４５の第１および第２規制片部１４２,１４８は、前記第２の規制壁１２７における垂直面１２７ａと同一直線状に位置し、第１および第２規制片部１４２,１４８の夫々は、常には前記設置領域Ｓに設置された図柄表示装置３０の右側面３２ｃから離間するよう構成されている。このため、上下の金属規制片１４０,１４５が合成樹脂製の収容ケース３２に接触して傷付くのを防止できる。ここで、前記第１および第２規制片部１４２,１４８と図柄表示装置３０の右側面３２ｃとは、前記第１当接案内片１２８(第１の当接部１２８ａ)の厚み分だけ僅かに離間するだけであるから、前記図柄表示装置３０(収容ケース３２)が僅かに弾性変形するだけで、該図柄表示装置３０(収容ケース３２)が第１および第２規制片部１４２,１４８に当接して位置規制されるから、パチンコ機１０または遊技盤４０の運搬時や外枠１１に対する中枠１２の開閉時等の振動で図柄表示装置３０が左右方向に移動するのを効果的に防止できる。
【００９６】
また、前記第１規制片部１４２および第２規制片部１４８の夫々が前記前側位置規制部(基板カバー７５,１０６,１２３)から突出する突出寸法は、前記第２の規制壁１２７が前側位置規制部(基板カバー７５,１０６,１２３)から突出する突出寸法より小さく設定さしてあるから、図柄表示装置３０を着脱する際に、該図柄表示装置３０が第１および第２規制片部１４２,１４８に干渉するのを防止され、図柄表示装置３０の着脱作業を阻害することはない。
【００９７】
(コネクタ受部の保護および配線の保護について)
前述したように、前記図柄表示装置３０の設置領域Ｓの上方位置は、前記第１の下側保護壁８１、第２の下側保護壁１１２、第１の配線保持部材９０の下面部９１により、設置領域Ｓの上方位置が区画される。そして、第１の下側保護壁８１、第２の下側保護壁１１２、第１の配線保持部材９０における下面部９１の夫々の上方側に、前記第１の発光装置７１に設けた各コネクタ受部７３,７４と、前記第２の発光装置１０１の上方に設けたコネクタ受部１０３,１０４を配置するようにしたから、前記差込み受部５６の差込み口５６ａに図柄表示装置３０の係止突部３４を挿入する際に図柄表示装置３０が上下にブレた場合でも、図柄表示装置３０がコネクタ受部７３,７４,１０３,１０４に接触するのを防止して、該コネクタ受部７３,７４,１０３,１０４の損傷を防止できる。これら第１の下側保護壁８１、第２の下側保護壁１１２、および第１の配線保持部材９０の下面部９１は、対応するコネクタ受部７３,７４,１０３,１０４よりも後方まで突出するよう構成してあるから、図柄表示装置３０がコネクタ受部７３,７４,１０３,１０４に接触するのをより確実に阻止できる。
【００９８】
また、前記第２の発光装置１０１の枢支端側に設けられたコネクタ受部１０５は、前記図柄表示装置３０の左側面３２ｂを位置規制する前記第１の規制壁１１４よりも枢支端側に位置するよう設けられている。従って、図柄表示装置３０を設置領域Ｓに配設する債に、該図柄表示装置３０の左側面３２ｂがコネクタ受部１０５に接触するのは防止され、該コネクタ受部１０５が損傷するのを防ぐことができる。
【００９９】
また、前記第１の発光装置７１には、前記各コネクタ受部７３,７４が前記中枠１２に設けられた球タンク２６と対向する側に、該コネクタ受部７３,７４より後方まで突出する第１および第２の上側保護壁８２,８３が形成されている。このため、前記遊技盤４０を中枠１２の遊技盤保持部２４に対して配設する際に、該遊技盤４０が上下にブレた場合でも、前記球タンク２６がコネクタ受部７３,７４に接触するのを第１および第２の上側保護壁８２,８３で阻止され、各コネクタ受部７３,７４が損傷するのを防止できる。また、前記第１および第２の上側保護壁８２,８３をコネクタ受部７３,７４よりも後方まで突出させたことで、中枠１２の球タンク２６とコネクタ受部７３,７４との接触をより確実に阻止できる。
【０１００】
更に、前記第１の発光装置７１における中継接続用のコネクタ受部７４と、前記第２の発光装置１０１における中継接続用のコネクタ受部１０４とを接続する配線ＨＡは、該第１の発光装置７１形成した第１の上側保護壁８２と第１の配線フック８４との間に挿通すると共に、第１の発光装置７１と第２の発光装置１０１との間に配置した第１ソレノイド６４ａの後方を跨ぐよう配設された前記第１の配線保持部材９０の第１区隔壁９２および第２区隔壁９３の間に挿通することで、図柄表示装置３０と球タンク２６との間において、左右方向(すなわち前記差込み口５６ａに対する係止突部３４の挿入方向)に延在する状態で保持されている。すなわち、遊技盤４０(裏ユニット５１)に対する図柄表示装置３０の取り付け時や、中枠１２に対する遊技盤４０の取り付け時における配線ＨＡの挟み込みや引っ掛かりが防止されて、図柄表示装置３０や遊技盤４０の取り付け作業性を向上し得る。なお、前記第１ソレノイドより枢支端側では、裏ユニット５１(上枠部５３)と球タンク２６(球整流部２６ｂ)との間に隙間が形成されるから、配線ＨＡが挟み込まれることはない。
【０１０１】
更に、前記第２の発光装置１０１のコネクタ受部１０５と、前記設置部材６７に配設される中継基板６８のコネクタ受部６９とを接続する配線ＨＢは、前記裏ユニット５１において、前記図柄表示装置３０の設置領域Ｓより枢支端側で、該コネクタ受部１０５より下方に位置する前記差込み受部５６に設けられた第２の配線保持部材９５に上下方向に延在する状態で保持される。従って、遊技盤４０(裏ユニット５１)に対する図柄表示装置３０の取り付け時や、中枠１２の遊技盤保持部２４に対する遊技盤４０の取り付け時に、第２の発光装置１０１と中継基板６８とを接続する配線ＨＢの挟み込みや引っ掛かりを防止でき、図柄表示装置３０や遊技盤４０の取り付け作業性を向上し得る。また、前記裏ユニット５１には、前記第２の配線保持部材９５の下方位置に湾曲片５７が形成されており、該湾曲片５７により前記第２の発光装置１０１と中継基板６８とを接続する配線ＨＢが枢支端側にはみ出すのを阻止しているから、遊技盤保持部２４に対する遊技盤４０の取り付け時に配線ＨＢを挟み込むのをより確実に防止できる。
【０１０２】
前述のように、前記第１の発光装置７１と第２の発光装置１０１とを配線接続すると共に、第２の発光装置１０１と中継基板６８と配線接続されることで、第１の発光装置７１および第２の発光装置１０１の夫々が統括制御装置１５７に電気的に接続される。また、前記裏ユニット５１の上枠部５３に設けた第１の可動装置６２におけるソレノイド６４ａ,６４ｂも前記第１の発光装置７１に配線接続されて、第２の発光装置１０１および中継基板６８を介して統括制御装置１５７に電気的に接続される。このように、裏ユニット５１の上枠部５３に配設される各種電気部品６４ａ,６４ｂ,７１の夫々を前記第２の発光装置１０１を介して中継基板６８に電気的に接続することで、各電気部品６４ａ,６４ｂ,７１,１０１を統括制御装置１５７に電気的に接続できるから、配瀬野の接続作業が簡略化される。
【０１０３】
(第１の発光装置の放熱について)
実施例のパチンコ機１０では、前記遊技盤４０の可視表示部５２の上方に複数の文字装飾部６０を形成し、遊技盤４０の裏側(裏ユニット５１)に設けた前記第１の発光装置７１により、各文字装飾部６０を発光させるようになっている。ここで前記第１の発光装置７１における第１のＬＥＤ基板７２には、複数設けた前記文字装飾部６０の一文字に対応するＬＥＤ７２ａにおいて、直列接続されたＬＥＤ群Ｇを構成し、ＬＥＤ群Ｇ毎に抵抗器７２ｃを配設してスタティック駆動制御するよう構成される。具体的には、実施例に係る第１の発光装置７１では、９つのＬＥＤ群Ｇが設けられると共に９つの抵抗器７２ｃが設けられており、該第１の発光装置７１の総発熱量が大きくなっている。
【０１０４】
そこで、前記第１の発光装置７１は、前記抵抗器７２ｃが実装された第１のＬＥＤ基板７２の裏面と、第１の基板カバー７５との間に隙間が画成されると共に、該第１の基板カバー７５において図柄表示装置３０のフレーム部３８との当接部分より上側に上側放熱口７９を複数形成され、更に該第１の基板カバー７５とフレーム部３８との当接部分より下側に下側放熱口８０を複数形成されている。すなわち、前記下側放熱口８０を介して第１の基板カバー７５内に導入される外部空気が、第１のＬＥＤ基板７２の裏面と第１の基板カバー７５を通って上側放熱口７９へ通出でき、抵抗器７２ｃが発する熱と、第１の基板カバー７５内を流通する外部空気との熱交換効率が向上する。従って、前記第１のＬＥＤ基板７２の抵抗器７２ｃが過熱するのを効果的に防止できる。また、前記抵抗器７２ｃを、前記上側放熱口７９と下側放熱口８０との間に位置するよう配置してあるから、前記第１の基板カバー７５内を流通する外部空気と抵抗器７２ｃとの熱交換が効果的に行なわれ、速やかな放熱を実現し得る。
【０１０５】
また、前記第１のＬＥＤ基板７２の表面側にも、前記裏ユニット５１の上枠部５３との間に隙間が画成されるようにしたから、前記下側放熱口８０から第１の基板カバー７５内に取り込まれる外部空気を第１のＬＥＤ基板７２の表面に流通させることができる。このため、前記第１のＬＥＤ基板７２の表面に配設したＬＥＤ７２ａから発せられる熱も効果的に放熱でき、第１の基板カバー７５内の熱が籠るのをより効果的に抑制することができる。
【０１０６】
また、前記図柄表示装置３０のフレーム部３８は、前記液晶パネル３１の表示面３１ａよりも前側に突出しているから、図１６に示すように、前記第１の基板カバー７５におけるフレーム部３８との当接部分よりも下側では、第１の基板カバー７５の対向面部７６と液晶パネル３１の表示面３１ａとの間に隙間が形成され、前記下側放熱口８０を介して第１の基板カバー７５内に外部空気を取り込み易くなる。これにより、下側放熱口８０から上側放熱口７９へ抜ける空気の流通をスムーズに行なうことができ、第１の基板カバー７５内に熱が籠るのを効果的に防止できる。また、前記第１の基板カバー７５の対向面部７６には、後方へ突出する突部７５ａが形成されて、該突部７５ａにフレーム部３８が当接するようになっている。従って、第１の基板カバー７５の対向面部７６と液晶パネル３１の表示面３１ａとの間により大きな隙間が形成できるから、下側放熱口８０から上側放熱口７９へ抜ける空気の流通をより一層スムーズに行なうことが可能となる。
【０１０７】
更に、前記第１のＬＥＤ基板７２の裏面には、ブロック状の配線パターン部７２ｂが形成され、２つのブロック状の配線パターン部７２ｂを介して導通するよう前記抵抗器７２ｃが実装されている。すなわち、面積の大きなブロック状の配線パターン部７２ｂに抵抗器７２ｃが接触することで、該ブロック状の配線パターン部７２ｂを介しても、第１の基板カバー７５内を流通する外部空気との熱交換を実施でき、熱交換効率が向上して放熱効果がより向上する。
【０１０８】
ここで、前記上側放熱口７９は、前記第１の基板カバー７５の対向面部７６から周壁部７７の上面に亘って延在するよう形成されると共に、前記下側放熱口８０は、第１の基板カバー７５の対向面部７６から周壁部７７の下面に亘って延在するよう形成されている。このため、前記第１の基板カバー７５への外部空気を取り込みや、該第１の基板カバー７５からの空気の排出に必要な開口面積を確保することができる。また、前記上側放熱口７９および下側放熱口８０の夫々が上下方向に延在することで、第１の基板カバー７５内を上下方向に直線的な外部空気の流れを作り出すことができ、該第１の基板カバー７５内の空気を効率的に入れ替えることができ、熱交換効率が低下するのを防止し得る。なお、前記第１の基板カバー７５には、隣接する前記上側放熱口７９同士の間および隣接する下側放熱口８０同士の間に突条部７６ａを設けてあるから、該第１の基板カバー７５の剛性が高められ、当該第１の基板カバー７５の対向面部７６に図柄表示装置３０のフレーム部３８を当接させて支持した際に、該第１の基板カバー７５が変形するのを防止できる。従って、第１の基板カバー７５と第１のＬＥＤ基板７２とを、常に一定の間隔だけ離間させることができ、第１の基板カバー７５内の空気循環を確保し得る。
【０１０９】
〔変更例〕
なお、遊技機の構成としては、実施例のものに限らず、種々の変更が可能である。例えば、実施例では、遊技盤を透明板および裏ユニットを積層して構成したが、一枚のベニヤ板や合成樹脂板から構成してもよく、また、３つ以上の部材を積層して遊技盤を構成するようにしてもよい。
【０１１０】
実施例では、図柄表示装置の左側面に係止突部を形成するようにしたが、右側面に形成してもよい。また、実施例では、図柄表示装置に２つの係止突部を形成したが、１つまたは３つ以上の係止突部を形成してもよい。なお、係止突部の形状や形成位置に関しても、実施例のものに限られず、任意に変更することができる。
【０１１１】
実施例では、遊技盤の裏側に配設した第１〜第３の発光装置における基板カバーを、図柄表示装置の前面が当接する前側位置規制部(位置規制手段)として機能させるようにしたが、これに限られず、遊技盤の裏面に対して図柄表示装置の前面を直接当接させるようにしてもよく、また遊技盤の裏側に配設した別の部材に図柄表示装置の前面を当接させるよう構成してもよい。この場合には、遊技盤自体あるいは遊技盤の裏側に配設した別の部材が前側位置規制部として機能する。また、実施例では、前側位置規制部に形成した突部に図柄表示装置の前面が当接するように構成したが、該前側位置規制部の平面部分(実施例では当接面部)に図柄表示装置の前面が直接当接するようにしてもよい。
【０１１２】
実施例では、遊技盤の枢支端側枠部に差込み口を有する差込み受部を形成したが、該遊技盤の開放端側枠部に形成するようにしてもよい。すなわち、前記差込み受部は、前記図柄表示装置における係止突部に対応するよう遊技盤の枢支端側枠部または開放端側枠部に形成することができる。また、差込み受部の形成数や差込み口の開口形状についても、前記係止突部の形成数や形状に対応させて形成すればよい。また、差込み受部を遊技盤に設けられる別の部材に形成することも可能である。
【０１１３】
実施例では、遊技盤の裏側において、図柄表示装置の左側端部に係止するよう上下のロック部材を設けたが、前記差込み受部と係止突部とが係止する端部から離間する端部側においてロック部材が係止されるよう構成すればよい。また、実施例では、ロック部材を回転させて係止位置と解除位置に変位するよう構成したが、該ロック部材をフック状に形成して図柄表示装置の後面に対して係脱されるようにしてもよい。
【０１１４】
実施例では、上ロック部材が配設される台座部材を上側位置規制部(位置規制手段)として機能するよう構成したが、該上ロック部材が配設される部材と別部材としてもよい。また、前記台座部材は、図柄表示装置における上面の左端部に当接するよう構成したが、図柄表示装置の上面の全体に亘って上側位置規制部が当接するようにしてもよい。また、図柄表示装置の上面に当接して位置規制する上側位置規制部を遊技盤自体に形成することも可能である。
前記上側位置規制部に形成される第２の当接案内片としては、図柄表示装置の上面に当接する第２の当接部と、該第２の当接部の後端に連設されて後方へ向かうにつれて可視表示部から離間する方向へ傾斜する第２の案内部とを備えていれば、その形状や位置、形成数は実施例のものに限られるものではない。
【０１１５】
実施例では、遊技盤の下枠部に設けられて中継基板を配設する設置部材を、下側位置規制部(位置規制手段)として機能するようにしたが、これに限られるものではない。例えば、図柄表示装置の下面に当接して位置規制する下側位置規制部を、遊技盤自体に形成することも可能である。
【０１１６】
実施例では、遊技盤の裏側に配設した第２の発光装置における基板カバーに第１の規制壁を形成して、前記図柄表示装置の右側面を位置規制する第１の側部位置規制部(位置規制手段)として機能するようにしたが、これに限られず、第１の側部位置規制部を遊技盤自体に形成してもよい。また、前記差込み受部に図柄表示装置の右側面が当接するようにして、該差込み受部を第１の側部位置規制部として機能させてもよい。なお前記図柄表示装置の左側面に係止突部を形成する場合においては、前記第１の側部位置規制部は遊技盤における左側に設けられる。
【０１１７】
実施例では、遊技盤の裏側に配設した第３の発光装置における基板カバーに第２の規制壁を形成して、前記図柄表示装置の左側面を位置規制する第２の側部位置規制部(位置規制手段)として機能するようにしたが、これに限られず、第２の側部位置規制部を遊技盤自体に形成してもよい。なお前記図柄表示装置の左側面に係止突部を形成する場合においては、前記第２の側部位置規制部は遊技盤の右側に設けられる。
【０１１８】
また、前記第２の規制壁(第２の側部位置規制部)の基端部に設けられる第１の当接案内片としては、前記図柄表示装置の側面における上下方向の中間位置に当接する第１の当接部、および該第１の当接部の後端に連設されて後方へ向かうにつれて可視表示部から離間する方向へ傾斜する第１の案内部を備えていれば、形状や位置、形成数は実施例のものに限られるものではない。従って、前記第１の案内部の傾斜角度を、前記第２の規制壁に形成された傾斜面の傾斜角度と異ならせてもよい。
【０１１９】
実施例では、金属製位置規制部として、上側金属規制片と下側金属片とを設けたが、前記図柄表示装置の側面における上下の角部近傍に当接するよう構成すれば、単一の金属片から構成するようにしてもよい。また、実施例では、前記下側位置規制部に設けられる金属製支持板(支持板部)を、下側金属規制片と一体的に形成したが、これらを別部材とすることもできる。
【０１２０】
実施例では、第１の発光装置において図柄表示装置の設置領域の上外方に位置するようコネクタ受部を設けたが、図柄表示装置の設置領域の下外方に位置するようコネクタ受部を設けて、コネクタ受部の図柄表示装置に対向する側に、図柄表示装置の設置領域を区画するよう第１の下側保護壁を形成してもよい。また、第１の発光装置の基板カバーに第１の配線フックと第１の上側保護壁とを形成して、前記コネクタ受部に接続する配線を、設置領域の外側において前記差込み口に対する係止突部の挿入方向に延在するよう保持するようにしたが、これに限らず、配線を保持できる構成であれば、任意の構成とすることができる。
【０１２１】
また、第１の配線保持部材や第２の配線保持部材の形状としても、実施例にものに限られるものではない。すなわち、第１の配線保持部材としては、遊技盤の上方位置に配設された駆動手段の後方を通って延在する状態(図柄表示装置の設置料域と球タンクとの間に延在する状態)で配線保持し得るよう構成すればよい。また、第２の配線保持部材としては、図柄表示装置と遊技盤保持部との間に延在する状態で配線を保持し得るよう形成すればよい。
【０１２２】
実施例では、前記遊技盤における上枠部に、第１の電気部品としての第１の発光装置を配設すると共に、該遊技盤における枢支端側枠部に、第２の電気部品としての第２の発光装置を配設したが、これに限定されるものではなく、各種電気部品を第１および第２の電気部品として採用することができる。
【０１２３】
また、前記第１の電気部品に設けた第１のコネクタ受部と、第２の電気部品に設けた第２のコネクタ受部とを接続する配線を保持する第１の配線保持部材の形状・構成に関しては、実施例のものに限られるものではなく、該配線を、図柄表示装置の設置領域の上外方において駆動手段の後方を通って延在する状態で保持し得る形状・構成であれば、任意に変更できる。例えば、実施例では、前記第１の配線保持部材の下面部で、第１の電気部品に設けたコネクタ受部と図柄表示装置の設置領域とを区画したが、第１の電気部品のコネクタ受部において下面部と対応する位置に、該コネクタ受部より後方まで突出する保護壁を形成するようにしてもよい。
【０１２４】
実施例では、遊技盤の裏側に設けたコネクタ受部と図柄表示装置の設置領域とを区画する保護壁を、第１の下側保護壁および第２の下側保護壁から構成したが、コネクタ受部の前記図柄表示装置に対向する側に、コネクタ受部の形成位置に亘って１つの保護壁を形成するようにしてもよい。また、コネクタ受部の１つ毎に保護壁を形成することもできる。同様に実施例では、遊技盤の裏側に設けたコネクタ受部と中枠の球タンクとの間に位置する上側保護壁を、第１の上側保護壁および第２の上側保護壁から構成したが、コネクタ受部の形成位置に亘って１つの上側保護壁を形成するようにしてもよい。また、コネクタ受部の１つ毎に上側保護壁を形成することもできる。
【０１２５】
実施例では、発光演出装置としての第１の発光装置における基板カバーに、上下方向に延在するよう上側放熱口および下側放熱口の夫々を形成したが、これに限られるものではないことは当然である。すなわち、発光演出装置の基板カバーにおいて、図柄表示装置のフレーム部との当接部分より上方位置に上側放熱口を形成し、該フレーム部との当接部分より下方位置に下側放熱口を形成すれば、該上側放熱口および下側放熱口の形成数や形状・大きさは、該基板カバー内の容積や基板カバー内での発熱量に応じて、任意に決定することができる。
【０１２６】
実施例では、発光演出装置としての第１の発光装置を遊技盤裏側に配設した状態で、該第１の発光装置におけるＬＥＤ基板の表面側と裏面側の夫々に隙間が形成されるようにしたが、少なくとも抵抗器が実装されるＬＥＤ基板の裏面との間に隙間が形成されるよう構成すればよい。
【０１２７】
実施例では、遊技機としてパチンコ機を例示して説明したが、これに限られるものではなく、外郭をなす外枠に開閉可能に組み付けられる中枠に遊技盤を保持する遊技機であれば、アレンジボール機等の従来公知の各種遊技機を採用し得る。また、図柄表示装置としても液晶パネルを用いたものに限らず、ドラム式やベルト式、その他の形式の図柄表示装置も採用可能である。
【図面の簡単な説明】
【０１２８】
【図１】本発明の実施例に係るパチンコ機を示す正面図である。
【図２】実施例に係るパチンコ機の外枠および中枠を示す正面図である。
【図３】実施例に係る中枠の遊技盤保持部に遊技盤を斜めに挿入した状態を示す斜視図である。
【図４】実施例に係るパチンコ機の背面図である。
【図５】実施例に係る図柄表示装置を示し、(a)は図柄表示装置の背面図であり、(b)は(a)のＡ−Ａ線断面図である。
【図６】実施例に係る遊技盤の正面図である。
【図７】実施例に係る遊技盤を透明板と裏ユニットとに分解した状態を示す側面図である。
【図８】実施例に係る遊技盤を背面側から見た斜視図である。
【図９】実施例に係る遊技盤の設置領域に図柄表示装置を配設した状態を示す背面図である。
【図１０】実施例に係る設置部材と下側金属規制片を分解した状態を示す斜視図である。
【図１１】実施例に係る遊技盤の裏ユニットを示す正面図である。
【図１２】実施例に係る裏ユニットから発光装置を分解した状態を正面側から視た斜視図である。
【図１３】実施例に係る裏ユニットの上枠部から第１の発光装置を分解した状態を背面側から視た斜視図である。
【図１４】実施例に係る裏ユニットに第１の発光装置を組み付けた状態を示す背面図である。
【図１５】実施例に係る第１の発光装置の分解斜視図であって、(a)は正面側から視た状態を示し、(b)は背面側から視た状態を示す。
【図１６】実施例に係る上枠部に設けた第１の発光装置と図柄表示装置との関係を示す縦断面図である。
【図１７】実施例に係る裏ユニットを示す平面図である。
【図１８】実施例に係る裏ユニットの枢支端側枠部から第２の発光装置を分解した状態を背面側から視た斜視図である。
【図１９】実施例に係る遊技盤を差込み受部の形成位置で横断した断面図であって、(a)は設置領域から図柄表示装置を取り外した状態を示し、(b)は設置領域に図柄表示装置を取り付けた状態を示す。
【図２０】実施例に係る遊技盤を差込み受部の形成位置で横断した断面図であって、差込み受部の差込み口に図柄表示装置の係止突部を差込む状態を示す説明図である。
【図２１】実施例に係る遊技盤を差込み受部の形成位置で縦断した背面図であって、差込み受部の差込み口に図柄表示装置の係止突部を差込む状態を示す説明図である。
【図２２】(a)は実施例に係る第１の配線保持部材の平面図であり、(b)は該第１の配線保持部材の斜視図である。
【図２３】(a)は実施例に係る第２の配線保持部材の平面図であり、(b)は該第２の配線保持部材の斜視図である。
【図２４】実施例に係る裏ユニットの開放端側枠部から第３の発光装置を分解した状態を背面側から視た斜視図である。
【図２５】実施例に係る第３の発光装置における第２の規制壁を拡大して示す斜視図である。
【図２６】実施例に係る遊技盤を第２の規制壁の形成位置で横断した断面図である。
【図２７】(a)は実施例に係る上ロック部材を配設した台座部材を、上側金属規制片を分解して示す側面図であり、(b)は該台座部材に上側金属規制片を組み付けた状態で示す背面図である。
【図２８】実施例に係る第２の規制壁と、上下の金属規制片と、図柄表示装置の設置領域との関係を拡大して示す背面図である。
【符号の説明】
【０１２９】
１２  中枠
２４  遊技盤保持部
２６  球タンク
３０  図柄表示装置
３１ａ  表示面
３２ｂ  左側面(一方側面)
３４  係止突部
４０  遊技盤
５２  可視表示部
６２  第１の可動装置(演出用可動装置)
６４ａ  第１ソレノイド(駆動手段)
５６  差込み受部
５６ａ  差込み口
６７  設置部材(位置規制手段)
６８  中継基板
６９  コネクタ受部(第４のコネクタ受部)
７１  第１の発光装置(第１の電気部品)
７３  コネクタ受部
７４  中継接続用のコネクタ受部(第１のコネクタ受部)
７５  第１の基板カバー(位置規制手段)
８１  第１の下側保護壁(保護壁)
８４  第１の配線フック(配線保持部)
９０  第１の配線保持部材(配線保持部、保持部材)
９５  第２の配線保持部材(第２の配線保持部)
１０１  第２の発光装置(第２の電気部品)
１０３  コネクタ受部
１０４  中継接続用のコネクタ受部(第２のコネクタ受部)
１０５  コネクタ受部(第３のコネクタ受部)
１０６  第２の基板カバー(位置規制手段)
１１２  第２の下側保護壁(保護壁)
１１４  第１の規制壁(位置規制手段)
１２３  第３の基板カバー(位置規制手段)
１２７  第２の規制壁(位置規制手段)
１３０  台座部材(位置規制手段)
１３５ａ  上ロック部材(位置規制手段)
１３５ｂ  下ロック部材(位置規制手段)
１５７  統括制御装置(制御装置)
Ｓ  設置領域
ＨＡ  配線
ＨＢ  配線
【図１】
0005596905.tif 000002
【図２】
0005596905.tif 000003
【図３】
0005596905.tif 000004
【図４】
0005596905.tif 000005
【図５】
0005596905.tif 000006
【図６】
0005596905.tif 000007
【図７】
0005596905.tif 000008
【図８】
0005596905.tif 000009
【図９】
0005596905.tif 000010
【図１０】
0005596905.tif 000011
【図１１】
0005596905.tif 000012
【図１２】
0005596905.tif 000013
【図１３】
0005596905.tif 000014
【図１４】
0005596905.tif 000015
【図１５】
0005596905.tif 000016
【図１６】
0005596905.tif 000017
【図１７】
0005596905.tif 000018
【図１８】
0005596905.tif 000019
【図１９】
0005596905.tif 000020
【図２０】
0005596905.tif 000021
【図２１】
0005596905.tif 000022
【図２２】
0005596905.tif 000023
【図２３】
0005596905.tif 000024
【図２４】
0005596905.tif 000025
【図２５】
0005596905.tif 000026
【図２６】
0005596905.tif 000027
【図２７】
0005596905.tif 000028
【図２８】
0005596905.tif 000029